(57)【要約】      （修正有）【課題】免許不要無線周波数スペクトル帯域についてのチャネル状態情報（ＣＳＩ）を報告するための方法を提供する。【解決手段】ワイヤレス通信システム２００において、基地局２０５からの制御情報を受信することと、制御情報の指示および第１のチャネル状態情報（ＣＳＩ）の値に少なくとも部分的に基づいて、第１のＣＳＩを報告することに関連する少なくとも１つの条件が満たされると決定することと、を含む。条件は、制御情報が指示を含むと決定することおよび第１のＣＳＩの値が第２のＣＳＩの値と同じであると決定することであり、その決定に少なくとも部分的に基づいて、第１のＣＳＩを報告することに関連するＣＳＩサブフレームを選択する。【選択図】図２
2020191662.tif 000002
【特許請求の範囲】
【請求項１】
コンポーネントキャリアを介してサービスを受信することと、ここにおいて、前記コンポーネントキャリアは免許不要無線周波数スペクトル帯域中にある、
前記免許不要無線周波数スペクトル帯域中の前記コンポーネントキャリアのチャネル状態情報を推定するために前記コンポーネントキャリア上で送信される１つまたは複数の信号を測定することと
を備える、ワイヤレス通信のための方法。
【請求項２】
前記コンポーネントキャリアのためのフレームについてクリアチャネルアセスメントが失敗したと決定すること
をさらに備える、請求項１に記載の方法。
【請求項３】
前記コンポーネントキャリアの前記チャネル状態情報を非周期的に送信すること、ここにおいて、前記１つまたは複数の信号は前記コンポーネントキャリアのための前記フレーム中に測定される、
をさらに備える、請求項２に記載の方法。
【請求項４】
前記コンポーネントキャリアのための前記フレームの１つまたは複数のサブフレームについての前記チャネル状態情報の非周期送信を省略すること
をさらに備える、請求項２に記載の方法。
【請求項５】
前記免許不要無線周波数スペクトル帯域中の前記コンポーネントキャリアに関連する非周期チャネル状態情報ビットを受信すること、前記非周期チャネル状態情報ビットは前記コンポーネントキャリアの前記チャネル状態情報を非周期的に送信すべきかどうかを示す、
をさらに備える、請求項１に記載の方法。
【請求項６】
前記コンポーネントキャリアのためのフレームの１つまたは複数のサブフレームについてのチャネル状態情報が前記チャネル状態情報の非周期送信から省略されるべきであるかどうかに関する命令を受信すること
をさらに備える、請求項１に記載の方法。
【請求項７】
前記コンポーネントキャリアは第１のコンポーネントキャリアを備え、前記方法は、
第２のコンポーネントキャリアを介して前記命令を受信すること
をさらに備える、請求項６に記載の方法。
【請求項８】
前記コンポーネントキャリアのためのフレームについてクリアチャネルアセスメントが失敗したかどうかにかかわらず前記チャネル状態情報を周期的に送信すること
をさらに備える、請求項１に記載の方法。
【請求項９】
前記コンポーネントキャリアのためのフレームについてクリアチャネルアセスメントが失敗したかどうかを決定することと、
前記チャネル状態情報を周期的に送信することとをさらに備え、
ここにおいて、１つまたは複数の信号を前記測定することは、前記フレームについて前記クリアチャネルアセスメントが成功したと決定されたとき、１つまたは複数の現在の信号を測定することと、前記フレームについて前記クリアチャネルアセスメントが失敗したと決定されたとき、１つまたは複数の履歴信号を測定することとを備える、
請求項１に記載の方法。
【請求項１０】
前記チャネル状態情報を周期的に送信すること、前記チャネル状態情報は、前記チャネル状態情報に関連する前記コンポーネントキャリアを識別するために使用される指示を備える、
をさらに備える、請求項１に記載の方法。
【請求項１１】
前記指示は、前記チャネル状態情報に関連する前記コンポーネントキャリアを明示的に識別する、請求項１０に記載の方法。
【請求項１２】
前記指示は、前記チャネル状態情報に関連する前記コンポーネントキャリアに関連するスクランブリングパターンを含む、請求項１０に記載の方法。
【請求項１３】
前記スクランブリングパターンは、前記チャネル状態情報が１次セルに関連付けられるとき、第１のスクランブリングパターンを備え、
前記スクランブリングパターンは、前記チャネル状態情報が２次セルに関連付けられるとき、第２のスクランブリングパターンを備える、請求項１２に記載の方法。
【請求項１４】
前記指示は、多重化された物理アップリンク制御チャネル（ＰＵＣＣＨ）および物理アップリンク共有チャネル（ＰＵＳＣＨ）のためのレートマッチングを備える、請求項１０に記載の方法。
【請求項１５】
前記指示は、物理アップリンク制御チャネル（ＰＵＣＣＨ）のリソースロケーションを備える、請求項１０に記載の方法。
【請求項１６】
条件が満たされたかどうかを決定することと、
前記チャネル状態情報を周期的に送信することとをさらに備え、
ここにおいて、前記チャネル状態情報は、前記条件が満たされたとき、前記チャネル状態情報に関連する前記コンポーネントキャリアを識別するために使用される指示を備える、
請求項１に記載の方法。
【請求項１７】
前記条件は、少なくとも２つの交互チャネル状態情報送信に対して同じペイロードサイズである、請求項１６に記載の方法。
【請求項１８】
前記コンポーネントキャリアのためのフレームについてクリアチャネルアセスメントが失敗したかどうかを決定することと、
前記チャネル状態情報を周期的に送信することとをさらに備え
ここにおいて、前記チャネル状態情報は、前記クリアチャネルアセスメントが失敗したと決定されたとき、前記チャネル状態情報に関連する前記コンポーネントキャリアを識別するために使用される指示を備える、
請求項１に記載の方法。
【請求項１９】
前記クリアチャネルアセスメントが失敗したと前記決定することは、チャネル使用ビーコン信号に少なくとも部分的に基づく、請求項２に記載の方法。
【請求項２０】
前記クリアチャネルアセスメントが失敗したと前記決定することは、チャネル状態情報報告のための基準信号に少なくとも部分的に基づく、請求項２に記載の方法。
【請求項２１】
前記コンポーネントキャリアのための前記フレームは、ダウンリンクフレームまたはアップリンクフレームである、請求項２に記載の方法。
【請求項２２】
コンポーネントキャリアを介してサービスを受信するための手段と、ここにおいて、前記コンポーネントキャリアは免許不要無線周波数スペクトル帯域中にある、
前記免許不要無線周波数スペクトル帯域中の前記コンポーネントキャリアのチャネル状態情報を推定するために前記コンポーネントキャリア上で送信される１つまたは複数の信号を測定するための手段と
を備える、ワイヤレス通信のための装置。
【請求項２３】
前記コンポーネントキャリアのためのフレームについてクリアチャネルアセスメントが失敗したと決定するための手段
をさらに備える、請求項２２に記載の装置。
【請求項２４】
前記コンポーネントキャリアの前記チャネル状態情報を非周期的に送信するための手段、ここにおいて、前記１つまたは複数の信号は前記コンポーネントキャリアのための前記フレーム中に測定される、
をさらに備える、請求項２３に記載の装置。
【請求項２５】
前記コンポーネントキャリアのための前記フレームの１つまたは複数のサブフレームについての前記チャネル状態情報の非周期送信を省略するための手段
をさらに備える、請求項２３に記載の装置。
【請求項２６】
プロセッサと、
前記プロセッサと電子通信しているメモリと、
前記メモリに記憶された命令とを備え、前記命令は、前記プロセッサによって、
コンポーネントキャリアを介してサービスを受信することと、ここにおいて、前記コンポーネントキャリアは免許不要無線周波数スペクトル帯域中にある、
前記免許不要無線周波数スペクトル帯域中の前記コンポーネントキャリアのチャネル状態情報を推定するために前記コンポーネントキャリア上で送信される１つまたは複数の信号を測定することと
を行うように実行可能である、ワイヤレス通信のための装置。
【請求項２７】
前記命令は、前記プロセッサによって、
前記コンポーネントキャリアのためのフレームについてクリアチャネルアセスメントが失敗したと決定すること
を行うように実行可能である、請求項２６に記載の装置。
【請求項２８】
前記命令は、前記プロセッサによって、
前記コンポーネントキャリアの前記チャネル状態情報を非周期的に送信すること、ここにおいて、前記１つまたは複数の信号は前記コンポーネントキャリアのための前記フレーム中に測定される、
を行うように実行可能である、請求項２７に記載の装置。
【請求項２９】
前記命令は、前記プロセッサによって、
前記コンポーネントキャリアのための前記フレームの１つまたは複数のサブフレームについての前記チャネル状態情報の非周期送信を省略すること
を行うように実行可能である、請求項２７に記載の装置。
【請求項３０】
ワイヤレス通信のためのコンピュータ実行可能コードを記憶する非一時的コンピュータ可読媒体であって、前記コードは、プロセッサによって、
コンポーネントキャリアを介してサービスを受信することと、ここにおいて、前記コンポーネントキャリアは免許不要無線周波数スペクトル帯域中にある、
前記免許不要無線周波数スペクトル帯域中の前記コンポーネントキャリアのチャネル状態情報を推定するために前記コンポーネントキャリア上で送信される１つまたは複数の信号を測定することと
を行うように実行可能である、非一時的コンピュータ可読媒体。
【発明の詳細な説明】
【相互参照】
【０００１】
[0001]  本特許出願は、２０１４年１２月１１日に出願された、「Ｔｅｃｈｎｉｑｕｅｓ  ｆｏｒ  Ｒｅｐｏｒｔｉｎｇ  Ｃｈａｎｎｅｌ  Ｓｔａｔｅ  Ｉｎｆｏｒｍａｔｉｏｎ  （ＣＳＩ）  ｆｏｒ  ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」と題する、Ｌｕｏらによる米国特許出願第１４／５６７，５７３号、および２０１４年２月２６日に出願された、「Ｔｅｃｈｎｉｑｕｅｓ  ｆｏｒ  Ｒｅｐｏｒｔｉｎｇ  Ｃｈａｎｎｅｌ  Ｓｔａｔｅ  Ｉｎｆｏｒｍａｔｉｏｎ  （ＣＳＩ）  ｆｏｒ  ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」と題する、Ｌｕｏらによる米国仮特許出願第６１／９４４，７８８号の優先権を主張するもので、これらの各々は本出願の譲受人に譲渡されている。
【技術分野】
【０００２】
[0002]  本開示は、例えば、ワイヤレス通信システムに関し、より詳細には、免許不要無線周波数スペクトル帯域についてのチャネル状態情報（ＣＳＩ）を報告するための技法に関する。
【背景技術】
【０００３】
[0003]  ワイヤレス通信システムは、音声、ビデオ、パケットデータ、メッセージング、ブロードキャストなどの様々なタイプの通信内容を提供するために広く展開されている。これらのシステムは、利用可能なシステムリソース（例えば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]  例として、ワイヤレス多元接続通信システムは、各々が複数のユーザ機器（ＵＥ、例えば、モバイルデバイス）のための通信を同時にサポートする、いくつかの基地局を含み得る。基地局は、（例えば、基地局からＵＥへの送信のために）ダウンリンクチャネル、および（例えば、ＵＥから基地局への送信のために）アップリンクチャネル上で、ＵＥと通信し得る。
【０００５】
[0005]  いくつかの通信モードは、異なる無線周波数スペクトル帯域（例えば、免許無線周波数スペクトル帯域および／または免許不要無線周波数スペクトル帯域）を介したＵＥとの通信を可能にし得る。セルラーネットワークにおけるデータトラフィックの増加とともに、少なくとも一部のデータトラフィックを免許無線周波数スペクトル帯域から免許不要無線周波数スペクトル帯域にオフロードすることにより、拡張されたデータ伝送容量の機会がセルラー事業者に提供され得る。
【０００６】
[0006]  免許不要無線周波数スペクトル帯域へのアクセスを獲得し、免許不要無線周波数スペクトル帯域を介してデータを送信する前に、送信装置は、いくつかの例で、免許不要無線周波数スペクトル帯域へのアクセスを獲得するために、リッスンビフォアトーク（ＬＢＴ：listen before talk）手順を行い得る。ＬＢＴ手順は、免許不要無線周波数スペクトル帯域の特定のチャネルが利用可能であるかどうかを決定するためにクリアチャネルアセスメント（ＣＣＡ：clear channel assessment）を行うことを含み得る。（例えば、別のデバイスが、免許不要無線周波数スペクトル帯域のチャネルを既に使用しているので）免許不要無線周波数スペクトル帯域のチャネルが利用可能でないと決定されると、そのチャネルに対してクリアチャネルアセスメントが後で再び行われ得る。
【０００７】
[0007]  基地局は、クリアチャネルアセスメントを行い、免許不要無線周波数スペクトル帯域へのアクセスを獲得すると、ＵＥがそれの送信を受信し、適宜に応答することになると仮定し得る。但し、免許不要無線周波数スペクトル帯域にアクセスするための競合に基地局が負ける状況、基地局によって行われたクリアチャネルアセスメントが失敗したとＵＥが間違って決定する状況、または基地局によって行われたクリアチャネルアセスメントが成功したとＵＥが間違って決定する状況が生じ得る。これらおよび他の状況では、ＵＥが、予期されない、潜在的に曖昧な形で基地局に応答し得る。
【発明の概要】
【０００８】
[0008]  本開示は、例えば、免許不要無線周波数スペクトル帯域についてのチャネル状態情報（ＣＳＩ）を報告するための１つまたは複数の技法に関する。基地局によって行われたクリアチャネルアセスメントが免許不要無線周波数スペクトル帯域中のコンポーネントキャリアについて失敗したとき、免許不要無線周波数スペクトル帯域中のコンポーネントキャリアについてのチャネル状態情報を推定するために送信される１つまたは複数の信号が存在しないことがある（例えば、有効な測定サブフレームが存在しないことがある）。基地局によって行われたクリアチャネルアセスメントが免許不要無線周波数スペクトル帯域中のコンポーネントキャリアについて成功したが、それが失敗したとＵＥが間違って決定すると、ＵＥは、免許不要無線周波数スペクトル帯域中のコンポーネントキャリアについてのチャネル状態情報を推定するために送信される１つまたは複数の信号が存在しない（例えば、有効な測定サブフレームが存在しない）と仮定し得る。これらおよび他の状況で、ＵＥは、基地局が予想するチャネル状態情報を送信しないことがある（例えば、ＵＥは、異なるコンポーネントキャリアに対応するチャネル状態情報を送信し得、ＵＥは、現在のチャネル状態情報を送信しないことがあり、またはＵＥは、チャネル状態情報をまったく送信しないことがある。上記のシナリオの結果として、基地局において、チャネル状態情報が報告されるかどうかおよび／またはそれがいつ報告されるのかに関する曖昧さ、並びにチャネル状態情報が報告されるコンポーネントキャリアに関する曖昧さがあり得る。
【０００９】
[0009]  例示的な例の第１のセットでは、ワイヤレス通信のための方法が説明される。一例では、本方法が、コンポーネントキャリアを介してサービスを受信することと、ここにおいて、コンポーネントキャリアが免許不要無線周波数スペクトル帯域中にある、免許不要無線周波数スペクトル帯域中のコンポーネントキャリアのチャネル状態情報を推定するためにコンポーネントキャリア上で送信される１つまたは複数の信号を測定することとを含み得る。
【００１０】
[0010]  いくつかの例では、本方法が、コンポーネントキャリアのためのフレームについてクリアチャネルアセスメントが失敗したと決定することを含み得る。これらの例では、場合によって、本方法が、コンポーネントキャリアのチャネル状態情報を非周期的に送信すること、１つまたは複数の信号が、コンポーネントキャリアのためのフレーム中に測定される、を含み得る。他の場合には、本方法が、コンポーネントキャリアのためのフレームの１つまたは複数のサブフレームについてのチャネル状態情報の非周期送信を省略することを含み得る。
【００１１】
[0011]  いくつかの例では、本方法が、免許不要無線周波数スペクトル帯域中のコンポーネントキャリアに関連する非周期チャネル状態情報ビットを受信することを含み得る。非周期チャネル状態情報ビットは、コンポーネントキャリアのチャネル状態情報を非周期的に送信すべきかどうかを示し得る。
【００１２】
[0012]  いくつかの例では、本方法が、コンポーネントキャリアのためのフレームの１つまたは複数のサブフレームについてのチャネル状態情報がチャネル状態情報の非周期送信から省略されるべきであるかどうかに関する命令を受信することを含み得る。これらの例では、コンポーネントキャリアが、第１のコンポーネントキャリアを含み得、本方法はまた、第２のコンポーネントキャリアを介して命令を受信することを含み得る。
【００１３】
[0013]  いくつかの例では、本方法が、コンポーネントキャリアのためのフレームについてクリアチャネルアセスメントが失敗したかどうかにかかわらずチャネル状態情報を周期的に送信することを含み得る。
【００１４】
[0014]  いくつかの例では、本方法が、コンポーネントキャリアのためのフレームについてクリアチャネルアセスメントが失敗したかどうかを決定することと、チャネル状態情報を周期的に送信することとを含み得る。これらの例では、１つまたは複数の信号を測定することが、フレームについてクリアチャネルアセスメントが成功したと決定されたとき、１つまたは複数の現在の信号を測定することと、フレームについてクリアチャネルアセスメントが失敗したと決定されたとき、１つまたは複数の履歴信号を測定することとを含み得る。
【００１５】
[0015]  いくつかの例では、本方法が、チャネル状態情報を周期的に送信することを含み得る。チャネル状態情報は、チャネル状態情報に関連するコンポーネントキャリアを識別するために使用される指示を含み得る。いくつかの例では、指示が、チャネル状態情報に関連するコンポーネントキャリアを明示的に識別し得る。いくつかの例では、指示が、チャネル状態情報に関連するコンポーネントキャリアに関連するスクランブリングパターンを含み得る。スクランブリングパターンは、チャネル状態情報が１次セルに関連付けられるとき、第１のスクランブリングパターンを含み得、スクランブリングパターンは、チャネル状態情報が２次セルに関連付けられるとき、第２のスクランブリングパターンを含み得る。いくつかの例では、指示が、多重化された物理アップリンク制御チャネル（ＰＵＣＣＨ）および物理アップリンク共有チャネル（ＰＵＳＣＨ）のためのレートマッチングを含み得る。いくつかの例では、指示が、ＰＵＣＣＨのリソースロケーションを含み得る。
【００１６】
[0016]  いくつかの例では、本方法が、条件が満たされたかどうかを決定することと、チャネル状態情報を周期的に送信することとを含み得る。チャネル状態情報は、条件が満たされたとき、チャネル状態情報に関連するコンポーネントキャリアを識別するために使用される指示を含み得る。いくつかの例では、条件が、少なくとも２つの交互チャネル状態情報送信に対して同じペイロードサイズであり得る。
【００１７】
[0017]  いくつかの例では、本方法が、コンポーネントキャリアのためのフレームについてクリアチャネルアセスメントが失敗したかどうかを決定することと、チャネル状態情報を周期的に送信することとを含み得る。チャネル状態情報は、クリアチャネルアセスメントが失敗したと決定されたとき、チャネル状態情報に関連するコンポーネントキャリアを識別するために使用される指示を含み得る。
【００１８】
[0018]  本方法のいくつかの例では、クリアチャネルアセスメントが失敗したと決定することが、チャネル使用ビーコン信号に少なくとも部分的に基づき得る。本方法のいくつかの例では、クリアチャネルアセスメントが失敗したと決定することが、チャネル状態情報報告のための基準信号に少なくとも部分的に基づき得る。本方法のいくつかの例では、コンポーネントキャリアのためのフレームが、ダウンリンクフレームまたはアップリンクフレームである。
【００１９】
[0019]  例示的な例の第２のセットでは、ワイヤレス通信のための装置が説明される。一例では、本装置が、コンポーネントキャリアを介してサービスを受信するための手段と、ここにおいて、コンポーネントキャリアが免許不要無線周波数スペクトル帯域中にある、免許不要無線周波数スペクトル帯域中のコンポーネントキャリアのチャネル状態情報を推定するためにコンポーネントキャリア上で送信される１つまたは複数の信号を測定するための手段とを含み得る。いくつかの例では、本装置が、例示的な例の第１のセットに関して上記で説明されたワイヤレス通信のための方法の１つまたは複数の態様を実施するための手段をさらに含み得る。
【００２０】
[0020]  例示的な例の第３のセットでは、ワイヤレス通信のための別の装置が説明される。一例では、この装置が、プロセッサと、プロセッサと電子通信しているメモリと、メモリに記憶された命令とを含み得る。本命令は、プロセッサによって、コンポーネントキャリアを介してサービスを受信することと、ここにおいて、コンポーネントキャリアが免許不要無線周波数スペクトル帯域中にある、免許不要無線周波数スペクトル帯域中のコンポーネントキャリアのチャネル状態情報を推定するためにコンポーネントキャリア上で送信される１つまたは複数の信号を測定することとを行うように実行可能であり得る。いくつかの例では、この命令がまた、例示的な例の第１のセットに関して上記で説明されたワイヤレス通信のための方法の１つまたは複数の態様を実施するようにプロセッサによって実行可能であり得る。
【００２１】
[0021]  例示的な例の第４のセットでは、ワイヤレス通信のためのコンピュータ実行可能コードを記憶する非一時的コンピュータ可読媒体が説明される。一例では、本コードが、プロセッサによって、コンポーネントキャリアを介してサービスを受信することと、ここにおいて、コンポーネントキャリアが免許不要無線周波数スペクトル帯域中にある、免許不要無線周波数スペクトル帯域中のコンポーネントキャリアのチャネル状態情報を推定するためにコンポーネントキャリア上で送信される１つまたは複数の信号を測定することとをワイヤレス通信装置に行わせるように実行可能であり得る。
【００２２】
[0022]  上記では、以下の発明を実施するための形態がより良く理解され得るように、本開示による例の特徴および技術的利点がやや広く概説された。さらなる特徴および利点が以下で説明される。開示される概念および具体例は、本開示の同じ目的を遂行するための他の構造を変更または設計するための基礎として容易に利用され得る。そのような等価な構成は、添付の特許請求の範囲の趣旨および範囲から逸脱しない。関連する利点とともに、本明細書で開示される概念の編成と動作の方法の両方に関して、それらの概念を特徴づけると考えられる特徴は、添付の図に関連して以下の説明を検討するとより良く理解されよう。各図は、例示および説明のみのために与えられものであり、特許請求の範囲の限定の定義として与えられるものではない。
【００２３】
[0023]  以下の図面を参照することによって、本発明の性質および利点のさらなる理解が得られ得る。添付の図では、同様の構成要素または特徴が同じ参照ラベルを有し得る。さらに、同じタイプの様々な構成要素は、参照ラベルの後に、ダッシュと、同様の構成要素の間で区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれか１つに適用可能である。
【図面の簡単な説明】
【００２４】
【図１】本開示の様々な態様による、ワイヤレス通信システムの一例の図である。
【図２】本開示の様々な態様による、免許不要無線周波数スペクトル帯域を使用する異なるシナリオの下でＬＴＥ（登録商標）／ＬＴＥ−Ａが展開されるワイヤレス通信システムを示す図である。
【図３】本開示の様々な態様による、免許不要無線周波数スペクトル帯域におけるセルラーダウンリンクのためのゲーティング間隔（またはＬＢＴフレーム）の例を示す図である。
【図４Ａ】本開示の様々な態様による、免許不要無線周波数スペクトル帯域を介したワイヤレス通信の一例を示す図である。
【図４Ｂ】本開示の様々な態様による、免許不要無線周波数スペクトル帯域を介したワイヤレス通信の一例を示す図である。
【図５】本開示の様々な態様による、ダウンリンクコンポーネントキャリアとアップリンクコンポーネントキャリアとの例示的なセットを示す図である。
【図６】本開示の様々な態様による、ワイヤレス通信において使用するための装置のブロック図である。
【図７】本開示の様々な態様による、ワイヤレス通信において使用するための装置のブロック図である。
【図８】本開示の様々な態様による、ワイヤレス通信において使用するための装置のブロック図である。
【図９】本開示の様々な態様による、ワイヤレス通信において使用するためのＵＥのブロック図である。
【図１０】本開示の様々な態様による、ワイヤレス通信のための方法の一例を示すフローチャートである。
【図１１】本開示の様々な態様による、ワイヤレス通信のための方法の一例を示すフローチャートである。
【図１２】本開示の様々な態様による、ワイヤレス通信のための方法の一例を示すフローチャートである。
【図１３】本開示の様々な態様による、ワイヤレス通信のための方法の一例を示すフローチャートである。
【図１４】本開示の様々な態様による、ワイヤレス通信のための方法の一例を示すフローチャートである。
【図１５】本開示の様々な態様による、ワイヤレス通信のための方法の一例を示すフローチャートである。
【図１６】本開示の様々な態様による、ワイヤレス通信のための方法の一例を示すフローチャートである。
【図１７】本開示の様々な態様による、ワイヤレス通信のための方法の一例を示すフローチャートである。
【図１８】本開示の様々な態様による、ワイヤレス通信のための方法の一例を示すフローチャートである。
【発明を実施するための形態】
【００２５】
[0043]  免許不要無線周波数スペクトル帯域（例えば、Ｗｉ−Ｆｉ（登録商標）無線周波数スペクトル帯域など、免許不要使用のために無線周波数スペクトル帯域が利用可能であるので、アクセスを求めて装置が競合する必要があり得る無線周波数スペクトル帯域）についてのチャネル状態情報が、あまり曖昧でない形でまたは曖昧でない形で基地局に報告され得る技法が説明される。
【００２６】
[0044]  いくつかの例では、チャネル状態情報報告における曖昧さを低減または除去するための技法が、コンポーネントキャリアを介してサービスを（例えば、基地局から）受信することを含み得る。コンポーネントキャリアは、免許不要無線周波数スペクトル帯域中にあり得る。いくつかの例では、サービス（あるいは１つまたは複数の他のサービス）がまた、免許不要無線周波数スペクトル帯域中の１つまたは複数の追加のコンポーネントキャリアおよび／または免許無線周波数スペクトル帯域中の１つまたは複数のコンポーネントキャリアを介して受信され得る。コンポーネントキャリア上で送信される１つまたは複数の信号は、免許不要無線周波数スペクトル帯域中のコンポーネントキャリアのチャネル状態情報を推定するために測定され得る。チャネル状態情報は、次いで、チャネル状態情報を理解することを可能にする（例えば、チャネル状態情報の性質の曖昧さが低減または除去され得る）形で（例えば、基地局に）送信され得る。チャネル状態情報から曖昧さを低減または除去するための技法は、例えば、ゲーティング間隔（例えば、ダウンリンクフレーム）の間コンポーネントキャリアへのアクセスを求めて競合するために、成功したクリアチャネルアセスメントにかかわらずチャネル状態情報を送信することと、基地局が１つまたは複数の報告オプション（例えば、ゲーティング間隔の間コンポーネントキャリアへのアクセスを求めて競合するために、成功したクリアチャネルアセスメントにかかわらずＵＥがチャネル状態情報を送信することになるかどうか、チャネル状態情報をいつ報告すべきかなど）を構成することを可能にすることと、チャネル状態情報に関連するコンポーネントキャリアを識別するために使用される指示とともにチャネル状態情報を送信することとを含み得る。これらおよび他の技法が、図５〜図８および図１０〜図１８を参照してより詳細に説明される。
【００２７】
[0045]  本明細書で説明される技法は、ＣＤＭＡ、ＴＤＭＡ、ＦＤＭＡ、ＯＦＤＭＡ、ＳＣ−ＦＤＭＡおよび他のシステムなどの様々なワイヤレス通信システムに使用され得る。「システム」および「ネットワーク」という用語は、しばしば同義で使用される。ＣＤＭＡシステムは、ＣＤＭＡ２０００、ユニバーサル地上波無線アクセス（ＵＴＲＡ）などの無線技術を実施し得る。ＣＤＭＡ２０００は、ＩＳ−２０００、ＩＳ−９５、およびＩＳ−８５６規格を包含する。ＩＳ−２０００リリース０およびＡは、一般に、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実施し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭＡ（登録商標）などの無線技術を実施し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。本明細書で説明される技法は、上記のシステムおよび無線技術、並びに他のシステムおよび無線技術に使用され得る。しかしながら、以下の説明は、例としてＬＴＥシステムを説明し、以下の説明の大部分においてＬＴＥ用語が使用されるが、本技法はＬＴＥ適用例以外に適用可能である。
【００２８】
[0046]  以下の説明は例を与えるものであり、特許請求の範囲に記載される範囲、適用可能性、または例を限定するものでない。本開示の趣旨および範囲から逸脱することなく、説明される要素の機能および配置に関して変更が行われ得る。様々な例は、適宜に様々な手順または構成要素を省略、置換、または追加し得る。例えば、説明される方法は、説明される順序とは異なる順序で行われ得、様々なステップが追加、省略、または組み合わされ得る。また、いくつかの例に参照して説明される特徴は、他の例において組み合わされ得る。
【００２９】
[0047]  図１に、本開示の様々な態様による、ワイヤレス通信システム１００の一例の図を示す。ワイヤレス通信システム１００は、基地局（またはセル）１０５と、ＵＥ１１５と、コアネットワーク１３０とを含み得る。基地局１０５は、様々な例においてコアネットワーク１３０または基地局１０５の一部であり得る、基地局コントローラ（図示せず）の制御下でＵＥ１１５と通信し得る。基地局１０５は、バックホールリンク１３２を介してコアネットワーク１３０と制御情報および／またはユーザデータを通信し得る。バックホールリンク１３２は、有線バックホールリンク（例えば、銅、ファイバなど）および／またはワイヤレスバックホールリンク（例えば、マイクロ波など）であり得る。いくつかの例では、基地局１０５が、ワイヤードまたはワイヤレス通信リンクであり得るバックホールリンク１３４を介して互いと直接または間接的に通信し得る。ワイヤレス通信システム１００は、複数のキャリア（異なる周波数の波形信号）上での動作をサポートし得る。マルチキャリア送信機は、複数のキャリアで同時に被変調信号を送信し得る。例えば、各通信リンク１２５は、上記で説明した様々な無線技術に従って変調されたマルチキャリア信号であり得る。各被変調信号は、異なるキャリア上で送られ得、制御情報（例えば、基準信号、制御チャネルなど）、オーバーヘッド情報、データなどを搬送し得る。
【００３０】
[0048]  基地局１０５は、１つまたは複数の基地局アンテナを介して、ＵＥ１１５とワイヤレス通信し得る。基地局１０５の各々は、それぞれのカバレージエリア１１０に通信カバレージを与え得る。いくつかの例では、基地局１０５が、アクセスポイント、トランシーバ基地局（ＢＴＳ）、無線基地局、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、ＷＬＡＮアクセスポイント、Ｗｉ−Ｆｉノード、または何らかの他の好適な用語で呼ばれることがある。基地局１０５のためのカバレージエリア１１０は、カバレージエリアの一部分のみを構成するセクタに分割され得る。ワイヤレス通信システム１００は、異なるタイプの基地局１０５（例えば、マクロ基地局、マイクロ基地局、および／またはピコ基地局）を含み得る。基地局１０５はまた、セルラーおよび／またはＷＬＡＮ無線アクセス技術などの異なる無線技術を利用し得る。基地局１０５は同じまたは異なるアクセスネットワークまたは事業者展開に関連付けられ得る。同じもしくは異なるタイプの基地局１０５のカバレージエリアを含み、同じもしくは異なる無線技術を利用し、および／または同じもしくは異なるアクセスネットワークに属する、異なる基地局１０５のカバレージエリアは重複し得る。
【００３１】
[0049]  ＵＥ１１５は、ワイヤレス通信システム１００全体にわたって分散され得る。ＵＥ１１５は、当業者によって、モバイルデバイス、モバイル局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ＵＥ１１５は、マクロ基地局、ピコ基地局、フェムト基地局、リレー基地局などと通信することが可能であり得る。ＵＥ１１５はまた、セルラーもしくは他のＷＷＡＮアクセスネットワーク、またはＷＬＡＮアクセスネットワークなど、異なるタイプのアクセスネットワーク上で通信することが可能であり得る。ＵＥ１１５との通信のいくつかのモードでは、通信が、複数の通信リンク１２５またはチャネルを介して行われ、各チャネルは、ＵＥ１１５といくつかのセルのうちの１つ（例えば、場合によっては同じまたは異なる基地局１０５によって動作され得るサービングセル）との間のコンポーネントキャリアを使用し得る。
【００３２】
[0050]  各コンポーネントキャリアは、免許無線周波数スペクトル帯域または免許不要無線周波数スペクトル帯域を介して与えられ得、特定の通信モードにおいて使用されるコンポーネントキャリアのセットは、全て免許無線周波数スペクトル帯域を介して（例えば、ＵＥ１１５において）受信されるか、全て免許不要無線周波数スペクトル帯域を介して（例えば、ＵＥ１１５において）受信されるか、または免許無線周波数スペクトル帯域と免許不要無線周波数スペクトル帯域との組合せを介して（例えば、ＵＥ１１５において）受信され得る。
【００３３】
[0051]  ワイヤレス通信システム１００に示された通信リンク１２５は、アップリンク（ＵＬ）通信（例えば、ＵＥ１１５から基地局１０５への送信）を搬送するための（コンポーネントキャリアを使用した）アップリンクチャネル、および／またはダウンリンク（ＤＬ）通信（例えば、基地局１０５からＵＥ１１５への送信）を搬送するための（コンポーネントキャリアを使用した）ダウンリンクチャネルを含み得る。ＵＬ通信または送信は、逆方向リンク通信または送信と呼ばれることもあり、ＤＬ通信または送信は、順方向リンク通信または送信と呼ばれることもある。ダウンリンク通信および／またはアップリンク通信は、免許無線周波数スペクトル帯域、免許不要無線周波数スペクトル帯域、またはその両方を使用して行われ得る。
【００３４】
[0052]  いくつかの例では、ワイヤレス通信システム１００がＬＴＥ／ＬＴＥ−Ａネットワークであるか、またはそれを含み得る。ＬＴＥ／ＬＴＥ−Ａネットワークでは、発展型ノードＢ（ｅＮＢ）という用語が、概して、基地局１０５の１つ１つまたはグループを記述するために使用され得る。ワイヤレス通信システム１００は、異なるタイプのｅＮＢが様々な地理的領域にカバレージを与える、異種ＬＴＥ／ＬＴＥ−Ａネットワークであり得る。例えば、各ｅＮＢは、マクロセル、ピコセル、フェムトセル、および／または他のタイプのセルに通信カバレージを提供し得る。マクロセルは、概して、比較的大きい地理的エリア（例えば、半径数キロメートル）をカバーし、ネットワークプロバイダのサービスに加入しているＵＥ１１５による無制限アクセスを可能にし得る。ピコセルは、概して、比較的小さい地理的エリアをカバーし得、ネットワークプロバイダのサービスに加入しているＵＥ１１５による無制限アクセスを可能にし得る。また、フェムトセルは、概して、比較的小さい地理的エリア（例えば、自宅）をカバーし得、無制限アクセスに加えて、フェムトセルとの関連を有するＵＥ１１５（例えば、限定加入者グループ（ＣＳＧ：closed subscriber group）中のＵＥ１１５、自宅内のユーザのためのＵＥ１１５など）による制限付きアクセスを可能にし得る。マクロセルのためのｅＮＢは、マクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（例えば、２つ、３つ、４つなどの）セルをサポートし得る。
【００３５】
[0053]  ＬＴＥ／ＬＴＥ−Ａネットワークアーキテクチャによるワイヤレス通信システム１００は、Ｅｖｏｌｖｅｄ  Ｐａｃｋｅｔ  Ｓｙｓｔｅｍ（ＥＰＳ）と呼ばれ得る。ＥＰＳは、１つまたは複数のＵＥ１１５と、発展型ＵＭＴＳ地上波無線アクセスネットワーク（Ｅ−ＵＴＲＡＮ：Evolved UMTS Terrestrial Radio Access Network）と、発展型パケットコア（ＥＰＣ：Evolved Packet Core）（例えば、コアネットワーク１３０）と、ホーム加入者サーバ（ＨＳＳ：Home Subscriber Server）と、事業者のＩＰサービスとを含み得る。ＥＰＳは、他の無線アクセス技術を使用して他のアクセスネットワークと相互接続し得る。例えば、ＥＰＳは、１つまたは複数のサービングＧＰＲＳサポートノード（ＳＧＳＮ：Serving GPRS Support Node）を介してＵＴＲＡＮベースのネットワークおよび／またはＣＤＭＡベースのネットワークと相互接続し得る。ＵＥ１１５のモビリティおよび／または負荷分散をサポートするために、ＥＰＳは、ソースｅＮＢ（または基地局１０５）とターゲットｅＮＢ（または基地局１０５）との間のＵＥ１１５のハンドオーバをサポートし得る。ＥＰＳは、同じＲＡＴ（例えば、他のＥ−ＵＴＲＡＮネットワーク）のｅＮＢおよび／または基地局１０５間のＲＡＴ内ハンドオーバと、異なるＲＡＴ（例えば、Ｅ−ＵＴＲＡＮ対ＣＤＭＡなど）のｅＮＢおよび／または基地局１０５間のＲＡＴ間ハンドオーバとをサポートし得る。ＥＰＳはパケット交換サービスを提供し得るが、当業者なら容易に諒解するように、本開示全体にわたって提示される様々な概念は、回線交換サービスを提供するネットワークに拡張され得る。
【００３６】
[0054]  Ｅ−ＵＴＲＡＮは、ｅＮＢを含み得、ＵＥ１１５に対してユーザプレーンプロトコル終端と制御プレーンプロトコル終端とを与え得る。ｅＮＢおよび／または基地局１０５は、バックホールリンク１３４（例えば、Ｘ２インターフェースなど）を介して他のｅＮＢおよび／または基地局１０５に接続され得る。ｅＮＢおよび／または基地局１０５は、ＵＥ１１５にＥＰＣ（例えば、コアネットワーク１３０）へのアクセスポイントを与え得る。ｅＮＢおよび／または基地局１０５は、バックホールリンク１３２（例えば、Ｓ１インターフェースなど）によってＥＰＣに接続され得る。ＥＰＣ内の論理ノードは、１つまたは複数のモビリティ管理エンティティ（ＭＭＥ：Mobility Management Entity）と、１つまたは複数のサービングゲートウェイと、１つまたは複数のパケットデータネットワーク（ＰＤＮ：Packet Data Network）ゲートウェイとを含み得る（図示せず）。概して、ＭＭＥはベアラおよび接続管理を行い得る。全てのユーザＩＰパケットはサービングゲートウェイを通して転送される場合があり、サービングゲートウェイ自体はＰＤＮゲートウェイに接続され得る。ＰＤＮゲートウェイはＩＰアドレス割振り並びに他の機能をＵＥに与え得る。ＰＤＮゲートウェイはＩＰネットワークおよび／または事業者のＩＰサービスに接続され得る。これらの論理ノードは別個の物理ノードにおいて実施され得るか、あるいは１つまたは複数の論理ノードが単一の物理ノードにおいて組み合わせられ得る。ＩＰネットワーク／事業者のＩＰサービスは、インターネット、イントラネット、ＩＰマルチメディアサブシステム（ＩＭＳ）、および／またはパケット交換（ＰＳ）ストリーミングサービス（ＰＳＳ）を含み得る。
【００３７】
[0055]  ＵＥ１１５およびｅＮＢまたは基地局１０５は、例えば、多入力多出力（ＭＩＭＯ）、多地点協調（ＣｏＭＰ）、または他の方式を通じて協調的に通信するように構成され得る。ＭＩＭＯ技法は、複数のデータストリームを送信するためにマルチパス環境を利用するために、基地局１０５上の複数のアンテナおよび／またはＵＥ１１５上の複数のアンテナを使用する。ＣｏＭＰは、ＵＥ１１５のための全体的な送信品質を改善し、並びにネットワークとスペクトル利用とを増加させるために、いくつかのｅＮＢおよび／または基地局１０５による送信および受信の動的協調ための技法を含む。一般に、ＣｏＭＰ技法は、ＵＥ１１５のための制御プレーン通信とユーザプレーン通信とを協調させるために、基地局１０５間の通信のためにバックホールリンク１３２および／または１３４を利用し得る。
【００３８】
[0056]  様々な開示した技法のいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ）レイヤにおける通信が、ＩＰベースであり得る。無線リンク制御（ＲＬＣ）レイヤは、論理チャネルを通じて通信するためにパケットのセグメンテーションとリアセンブルとを行い得る。媒体アクセス制御（ＭＡＣ）レイヤは、優先処理と、トランスポートチャネルへの論理チャネルの多重化とを行い得る。ＭＡＣレイヤはまた、信頼性の高いデータ送信を保証するためにＭＡＣレイヤにおいて再送信を行うために、ハイブリッド自動再送要求（ＨＡＲＱ）技法を使用し得る。制御プレーンでは、無線リソース制御（ＲＲＣ）プロトコルレイヤが、ユーザプレーンデータのために使用される、ＵＥとネットワークとの間のＲＲＣ接続の確立と構成と保守とを行い得る。物理レイヤにおいて、トランスポートチャネルは物理チャネルにマッピングされ得る。
【００３９】
[0057]  ダウンリンク物理チャネルは、物理ダウンリンク制御チャネル（ＰＤＣＣＨ）、物理ＨＡＲＱインジケータチャネル（ＰＨＩＣＨ）、および物理ダウンリンク共有チャネル（ＰＤＳＣＨ）の少なくとも１つを含み得る。アップリンク物理チャネルは、物理アップリンク制御チャネル（ＰＵＣＣＨ）および物理アップリンク共有チャネル（ＰＵＳＣＨ）の少なくとも１つを含み得る。ＰＤＣＣＨは、ダウンリンク制御情報（ＤＣＩ）を搬送でき、ＤＣＩは、ＰＤＳＣＨ上でのＵＥのためのデータ送信を示すとともに、ＰＵＳＣＨについて、ＵＥにＵＬリソース許可を与え得る。ＵＥは、制御セクション中の割り当てられたリソースブロック上のＰＵＣＣＨ中で制御情報を送信し得る。ＵＥは、データセクション中の割り当てられたリソースブロック上のＰＵＳＣＨ中でデータのみまたはデータと制御情報の両方を送信し得る。
【００４０】
[0058]  ＬＴＥ／ＬＴＥ−Ａは、ダウンリンク上では直交周波数分割多元接続（ＯＦＤＭＡ）を利用し、アップリンク上ではシングルキャリア周波数分割多元接続（ＳＣ−ＦＤＭＡ）を利用する。ＯＦＤＭＡおよび／またはＳＣ−ＦＤＭＡキャリアは、一般にトーン、ビンなどとも呼ばれる複数（Ｋ個）の直交サブキャリアに区分され得る。各サブキャリアはデータで変調され得る。隣接するサブキャリア間の間隔は固定であり得、サブキャリアの総数（Ｋ）はシステム帯域幅に依存し得る。例えば、Ｋは、１．４、３、５、１０、１５、または２０メガヘルツ（ＭＨｚ）の（ガード帯域をもつ）対応するシステム帯域幅に対して、それぞれ、１５キロヘルツ（ＫＨｚ）のサブキャリア間隔をもつ７２、１８０、３００、６００、９００、または１２００に等しくなり得る。システム帯域幅はまた、サブバンドに区分され得る。例えば、サブバンドは１．０８ＭＨｚをカバーでき、１つ、２つ、４つ、８つまたは１６個のサブバンドがあり得る。
【００４１】
[0059]  ワイヤレス通信システム１００のいくつかの例では、ＬＴＥ／ＬＴＥ−Ａが、免許不要無線周波数スペクトル帯域を使用して異なるシナリオの下で展開され得る。展開シナリオは、免許無線周波数スペクトル帯域におけるＬＴＥ／ＬＴＥ−Ａダウンリンク通信が免許不要無線周波数スペクトル帯域にオフロードされ得る補助ダウンリンクモードと、ＬＴＥ／ＬＴＥ−Ａダウンリンク通信とＬＴＥ／ＬＴＥ−Ａアップリンク通信の両方が免許無線周波数スペクトル帯域から免許不要無線周波数スペクトル帯域にオフロードされ得るキャリアアグリゲーションモードと、ｅＮＢおよび／または基地局とＵＥとの間のＬＴＥ／ＬＴＥ−Ａダウンリンク通信およびＬＴＥ／ＬＴＥ−Ａアップリンク通信が免許不要無線周波数スペクトル帯域中で行われ得るスタンドアロンモードとを含み得る。基地局１０５並びにＵＥ１１５は、これらまたは同様の動作モードのうちの１つまたは複数をサポートし得る。ＯＦＤＭＡ波形は、免許無線周波数スペクトル帯域および／または免許不要無線周波数スペクトル帯域におけるＬＴＥ／ＬＴＥ−Ａダウンリンク通信のために通信リンク１２５において使用され得、一方、ＯＦＤＭＡ波形、ＳＣ−ＦＤＭＡ波形、および／またはリソースブロックインターリーブＦＤＭＡ波形は、免許無線周波数スペクトル帯域および／または免許不要無線周波数スペクトル帯域におけるＬＴＥ／ＬＴＥ−Ａアップリンク通信のために通信リンク１２５において使用され得る。
【００４２】
[0060]  図２に、本開示の様々な態様による、免許不要無線周波数スペクトル帯域を使用する異なるシナリオの下でＬＴＥ／ＬＴＥ−Ａが展開されるワイヤレス通信システム２００を示す。より詳細には、図２に、ＬＴＥ／ＬＴＥ−Ａが免許不要無線周波数スペクトル帯域を使用して展開される補足ダウンリンクモードと、キャリアアグリゲーションモードと、スタンドアロンモードとの例を示す。ワイヤレス通信システム２００は、図１を参照して説明されるワイヤレス通信システム１００の部分の一例であり得る。その上、第１の基地局２０５および第２の基地局２０５−ａは、図１を参照して説明される基地局１０５のうちの１つまたは複数の態様の例であり得、一方、第１のＵＥ２１５、第２のＵＥ２１５−ａ、第３のＵＥ２１５−ｂ、および第４のＵＥ２１５−ｃは、図１を参照して説明されるＵＥ１１５のうちの１つまたは複数の態様の例であり得る。
【００４３】
[0061]  ワイヤレス通信システム２００における補助ダウンリンクモードの例では、第１の基地局２０５が、ダウンリンクチャネル２２０を使用して第１のＵＥ２１５にＯＦＤＭＡ波形を送信し得る。ダウンリンクチャネル２２０は、免許不要無線周波数スペクトル帯域において周波数Ｆ１に関連付けられ得る。第１の基地局２０５は、第１の双方向リンク２２５を使用して第１のＵＥ２１５にＯＦＤＭＡ波形を送信し得、第１の双方向リンク２２５を使用して第１のＵＥ２１５からＳＣ−ＦＤＭＡ波形を受信し得る。第１の双方向リンク２２５は、免許無線周波数スペクトル帯域における周波数Ｆ４に関連付けられ得る。免許不要無線周波数スペクトル帯域におけるダウンリンクチャネル２２０、および免許無線周波数スペクトル帯域における第１の双方向リンク２２５は、同時に動作し得る。ダウンリンクチャネル２２０は、第１の基地局２０５にダウンリンク容量のオフロードを提供し得る。いくつかの例では、ダウンリンクチャネル２２０が、（例えば、１つのＵＥに宛てられる）ユニキャストサービスのために、または（例えば、いくつかのＵＥに宛てられる）マルチキャストサービスのために使用され得る。このシナリオは、免許無線周波数スペクトル帯域を使用し、トラフィックおよび／またはシグナリングの輻輳のうちの一部を緩和する必要がある、任意のサービスプロバイダ（例えば、ＭＮＯ）に対して生じ得る。
【００４４】
[0062]  ワイヤレス通信システム２００におけるキャリアアグリゲーションモードの一例では、第１の基地局２０５が、第２の双方向リンク２３０を使用して第２のＵＥ２１５−ａにＯＦＤＭＡ波形を送信し得、第２の双方向リンク２３０を使用して第２のＵＥ２１５−ａからＯＦＤＭＡ波形、ＳＣ−ＦＤＭＡ波形、および／またはリソースブロックインターリーブＦＤＭＡ波形を受信し得る。第２の双方向リンク２３０は、免許不要無線周波数スペクトル帯域における周波数Ｆ１に関連付けられ得る。第１の基地局２０５はまた、第３の双方向リンク２３５を使用して第２のＵＥ２１５−ａにＯＦＤＭＡ波形を送信し得、第３の双方向リンク２３５を使用して第２のＵＥ２１５−ａからＳＣ−ＦＤＭＡ波形を受信し得る。第３の双方向リンク２３５は、免許無線周波数スペクトル帯域における周波数Ｆ２に関連付けられ得る。第２の双方向リンク２３０は、第１の基地局２０５にダウンリンク容量およびアップリンク容量のオフロードを提供し得る。上記で説明した補助ダウンリンクのように、このシナリオは、免許無線周波数スペクトルを使用し、トラフィックおよび／またはシグナリング輻輳の一部を軽減する必要がある、任意のサービスプロバイダ（例えば、ＭＮＯ）に対して生じ得る。
【００４５】
[0063]  ワイヤレス通信システム２００におけるキャリアアグリゲーションモードの別の例では、第１の基地局２０５が、第４の双方向リンク２４０を使用して第３のＵＥ２１５−ｂにＯＦＤＭＡ波形を送信し得、第４の双方向リンク２４０を使用して第３のＵＥ２１５−ｂからＯＦＤＭＡ波形、ＳＣ−ＦＤＭＡ波形、および／またはリソースブロックインターリーブ波形を受信し得る。第４の双方向リンク２４０は、免許不要無線周波数スペクトル帯域における周波数Ｆ３に関連付けられ得る。第１の基地局２０５はまた、第５の双方向リンク２４５を使用して第３のＵＥ２１５−ｂにＯＦＤＭＡ波形を送信し得、第５の双方向リンク２４５を使用して第３のＵＥ２１５−ｂからＳＣ−ＦＤＭＡ波形を受信し得る。第５の双方向リンク２４５は、免許無線周波数スペクトル帯域における周波数Ｆ２に関連付けられ得る。第４の双方向リンク２４０は、第１の基地局２０５にダウンリンク容量およびアップリンク容量のオフロードを提供し得る。この例および上記で提供した例は、説明のために提示され、容量のオフロードのために免許無線周波数スペクトル帯域と免許不要無線周波数スペクトル帯域とにおけるＬＴＥ／ＬＴＥ−Ａを組み合わせる他の同様の動作モードまたは展開シナリオが存在し得る。
【００４６】
[0064]  上記で説明したように、免許不要無線周波数スペクトル帯域においてＬＴＥ／ＬＴＥ−Ａを使用することによって提供される容量のオフロードから利益を得ることがある１つのタイプのサービスプロバイダは、ＬＴＥ／ＬＴＥ−Ａ免許無線周波数スペクトル帯域へのアクセス権を有する従来のＭＮＯである。これらのサービスプロバイダにとって、運用上の例としては、免許無線周波数スペクトル帯域上のＬＴＥ／ＬＴＥ−Ａ１次コンポーネントキャリア（ＰＣＣ）と免許不要無線周波数スペクトル帯域上の少なくとも１つの２次コンポーネントキャリア（ＳＣＣ）とを使用するブートストラップモード（例えば、補助ダウンリンク、キャリアアグリゲーション）があり得る。
【００４７】
[0065]  キャリアアグリゲーションモードでは、データおよび制御が、例えば、（例えば、第１の双方向リンク２２５と、第３の双方向リンク２３５と、第５の双方向リンク２４５とを介して）免許無線周波数スペクトル帯域において通信され得、データは、例えば、（例えば、第２の双方向リンク２３０と第４の双方向リンク２４０とを介して）免許不要無線周波数スペクトル帯域において通信され得る。免許不要無線周波数スペクトル帯域を使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００４８】
[0066]  ワイヤレス通信システム２００におけるスタンドアロンモードの一例では、第２の基地局２０５−ａが、双方向リンク２５０を使用して第４のＵＥ２１５−ｃにＯＦＤＭＡ波形を送信し得、双方向リンク２５０を使用して第４のＵＥ２１５−ｃからＯＦＤＭＡ波形、ＳＣ−ＦＤＭＡ波形、および／またはリソースブロックインターリーブＦＤＭＡ波形を受信し得る。双方向リンク２５０は、免許不要無線周波数スペクトル帯域の中の周波数Ｆ３に関連付けられ得る。スタンドアロンモードは、スタジアム内アクセス（例えば、ユニキャスト、マルチキャスト）などの非従来型のワイヤレスアクセスシナリオにおいて使用され得る。この動作モードのためのサービスプロバイダのタイプの一例は、免許無線周波数スペクトル帯域へのアクセスを有しない、スタジアム所有者、ケーブル会社、イベント主催者、ホテル、企業、または大企業であり得る。
【００４９】
[0067]  いくつかの例では、図１および／または図２を参照して説明される基地局１０５および／または２０５のうちの１つ並びに／あるいは図１および／または図２を参照して説明されるＵＥ１１５および／または２１５のうちの１つなどの送信装置が、免許不要無線周波数スペクトル帯域のチャネルへの（例えば、免許不要無線周波数スペクトル帯域の物理チャネルへの）アクセスを獲得するためにゲーティング間隔を使用し得る。ゲーティング間隔は、ＥＴＳＩ（ＥＮ３０１  ８９３）において指定されているＬＢＴプロトコルに基づくＬＢＴプロトコルなどの競合ベースプロトコルの適用を定義し得る。ＬＢＴプロトコルの適用を定義するゲーティング間隔を使用するとき、ゲーティング間隔は、送信装置がＣＣＡをいつ行う必要があるかを示し得る。ＣＣＡの結果は、（ＬＢＴフレームとも呼ばれる）ゲーティング間隔のために免許不要無線周波数スペクトル帯域のチャネルが利用可能であるか使用中であるかを送信デバイスに示し得る。対応するＬＢＴフレームのためにチャネルが利用可能である（例えば、使用が「許可される」）ことをＣＣＡが示すとき、送信装置は、ＬＢＴフレームの一部または全体中に免許不要無線周波数スペクトル帯域のチャネルを予約および／または使用し得る。チャネルが利用可能でない（例えば、チャネルが別の装置によって使用中であるか予約済みである）ことをＣＣＡが示すとき、送信装置は、ＬＢＴフレーム中にチャネルを使用することを防がれ得る。
【００５０】
[0068]  いくつかの場合、送信装置が、周期的にゲーティング間隔を生成し、周期的なフレーム構造の少なくとも１つの境界とゲーティング間隔の少なくとも１つの境界を同期させることが有用であり得る。例えば、免許不要無線周波数スペクトル帯域においてセルラーダウンリンクのための周期的なゲーティング間隔を生成し、セルラーダウンリンクに関連付けられた周期的なフレーム構造（例えば、周期的ＬＴＥ／ＬＴＥ−Ａ無線フレーム構造）の少なくとも１つの境界と周期的なゲーティング間隔の少なくとも１つの境界を同期させることが有用であり得る。そのような同期の例を図３に示す。
【００５１】
[0069]  図３に、本開示の様々な態様による、免許不要無線周波数スペクトル帯域におけるセルラーダウンリンクのためのゲーティング間隔（またはＬＢＴフレーム）の例３００を示す。第１のゲーティング間隔３０５、第２のゲーティング間隔３１５、および／または第３のゲーティング間隔３２５は、免許不要無線周波数スペクトル帯域を介した送信をサポートするｅＮＢによって周期的なゲーティング間隔として使用され得る。そのようなｅＮＢの例としては、図１および／または図２を参照して説明される基地局１０５および／または２０５があり得る。第１のゲーティング間隔３０５、第２のゲーティング間隔３１５、および／または第３のゲーティング間隔３２５は、図１および／または図２を参照して説明されるワイヤレス通信システム１００および／または２００とともに使用され得る。
【００５２】
[0070]  例として、第１のゲーティング間隔３０５の持続時間が、セルラーダウンリンクと関連付けられる周期的なフレーム構造のＬＴＥ／ＬＴＥ−Ａ無線フレーム３１０の持続時間に等しい（またはそれにほぼ等しい）ものとして示されている。いくつかの例では、「ほぼ等しい」が、第１のゲーティング間隔３０５の持続時間が周期的フレーム構造の持続時間のサイクリックプレフィックス（ＣＰ）持続時間内にあることを意味する。
【００５３】
[0071]  第１のゲーティング間隔３０５の少なくとも１つの境界は、ＬＴＥ／ＬＴＥ−Ａ無線フレームＮ−１〜Ｎ＋１を含む周期的フレーム構造の少なくとも１つの境界と同期され得る。場合によっては、第１のゲーティング間隔３０５は、周期的フレーム構造のフレーム境界と整合された境界を有し得る。他の場合には、第１のゲーティング間隔３０５は、周期的なフレーム構造のフレーム境界と同期されているがそれからオフセットされている境界を有し得る。例えば、第１のゲーティング間隔３０５の境界は、周期的なフレーム構造のサブフレーム境界と整合されるか、または周期的なフレーム構造のサブフレーム中間点境界（例えば、特定のサブフレームの中間点）と整合され得る。
【００５４】
[0072]  いくつかの場合、周期的なフレーム構造は、ＬＴＥ／ＬＴＥ−Ａ無線フレームＮ−１〜Ｎ＋１を含み得る。各ＬＴＥ／ＬＴＥ−Ａ無線フレーム３１０は、例えば、１０ミリ秒の持続時間を有し得、第１のゲーティング間隔３０５も、１０ミリ秒の持続時間を有し得る。これらの場合、第１のゲーティング間隔３０５の境界は、ＬＴＥ／ＬＴＥ−Ａ無線フレームの１つ（例えば、ＬＴＥ／ＬＴＥ−Ａ無線フレーム（Ｎ））の境界（例えば、フレーム境界、サブフレーム境界、またはサブフレーム中間点境界）と同期され得る。
【００５５】
[0073]  例として、第２のゲーティング間隔３１５および第３のゲーティング間隔３２５の持続時間が、セルラーダウンリンクに関連する周期的なフレーム構造の持続時間の約数（またはそのほぼ約数）であるものとして示されている。いくつかの例では、「〜のほぼ約数」が、第２のゲーティング間隔３１５および／または第３のゲーティング間隔３２５の持続時間が周期的フレーム構造の約数（例えば、１／２または１／１０）の持続時間のサイクリックプレフィックス（ＣＰ）持続時間内にあることを意味する。例えば、第２のゲーティング間隔３１５は、５ミリ秒の持続時間を有し得、第３のゲーティング間隔３２５は、２ミリ秒の持続時間を有し得る。第２のゲーティング間隔３１５または第３のゲーティング間隔３２５は、それのより短い継続時間が免許不要無線周波数スペクトル帯域のより頻繁な共有を容易にし得るので、第１のゲーティング間隔３０５よりも有利であり得る。
【００５６】
[0074]  図４Ａに、本開示の様々な態様による、免許不要無線周波数スペクトル帯域を介したワイヤレス通信４１０の一例４００を示す。ＬＢＴゲーティング間隔に対応し得るＴＤＤフレーム４１５は、１０ミリ秒の持続時間を有し、いくつかのダウンリンクサブフレーム４２０と、いくつかのアップリンクサブフレーム４２５と、２つのタイプの特殊サブフレーム、Ｓサブフレーム４３０およびＳ’サブフレーム４３５とを含み得る。Ｓサブフレーム４３０は、ダウンリンクサブフレーム４２０とアップリンクサブフレーム４２５との間の遷移を与え得るが、Ｓ’サブフレーム５３５は、アップリンクサブフレーム４２５とダウンリンクサブフレーム４２０との間の遷移を与え得る。Ｓ’サブフレーム４３５中に、ダウンリンククリアチャネルアセスメント（ＤＣＣＡ）４４０は、ワイヤレス通信４１０が行われる時間期間の間、チャネルを予約するために、図１および／または図２を参照して説明される基地局１０５および／または２０５のうちの１つまたは複数などの１つまたは複数の基地局によって行われ得る。基地局による成功したＤＣＣＡ４４０の後、基地局は、基地局がチャネルを予約したという指示を他の基地局および／または装置に与えるためにチャネル使用ビーコン信号（ＣＵＢＳ）４４５を送信し得る。
【００５７】
[0075]  Ｓ’サブフレーム４３５は、図４Ａでは０〜１３の番号を付された、１４個のＯＦＤＭシンボルを含み得る。Ｓ’サブフレーム４３５の第１の部分、この例ではシンボル０〜５は、ＬＴＥ／ＬＴＥ−Ａ通信規格との互換性のために必要とされ得るサイレントＤＬ期間として基地局によって使用され得る。従って、基地局はサイレントＤＬ期間中にデータを送信しないことがあるが、ＵＥはサイレントＤＬ期間中にある程度の量のアップリンクデータを送信し得る。Ｓ’サブフレーム４３５の第２の部分はＤＣＣＡ４４０のために使用され得る。例４００では、Ｓ’サブフレーム４３５が、シンボル６〜１２中に含まれる７つのＤＣＣＡスロットを含む。異なるネットワーク事業者によるＤＣＣＡスロットの使用は、より効率的なシステム動作を行うように協調され得る。いくつかの例では、ＤＣＣＡプロシージャを行うために７つの可能なＤＣＣＡスロットのうちのどれを使用すべきかを決定するために、基地局１０５が、次の形式のマッピング関数を評価し得る。
【００５８】
【数１】
2020191662.tif 000003
【００５９】
ここで、ＧｒｏｕｐＩＤは、基地局１０５に割り当てられた「展開グループｉｄ」であり、ｔは、ＤＣＣＡが行われるゲーティング間隔またはフレームに対応するＬＢＴフレーム番号である。
【００６０】
[0076]  図４Ｂに、本開示の様々な態様による、免許不要無線周波数スペクトル帯域を介したワイヤレス通信４５５の一例４５０を示す。図４ＡのＬＢＴフレーム期間に対応し得、ＬＢＴ固定フレーム期間に対応し得るＴＤＤフレーム４１５は、いくつかのダウンリンクサブフレーム４２０と、いくつかのアップリンクサブフレーム４２５と、２つのタイプの特殊なサブフレーム（例えば、Ｓサブフレーム５３０およびＳ’サブフレーム４３５とを含み得る。上記で説明したように、Ｓサブフレーム４３０は、ダウンリンクサブフレーム４２０とアップリンクサブフレーム４２５との間の遷移を与え得るが、Ｓ’サブフレーム４３５は、アップリンクサブフレーム４２５とダウンリンクサブフレーム４２０との間の遷移を与え得る。Ｓサブフレーム４３０中に、アップリンクＣＣＡ（ＵＣＣＡ）５６５は、ワイヤレス通信４５５が行われる時間期間の間、チャネルを予約するために、図１および／または図２を参照して上記で説明されＵＥ１１５および／または２１５のうちの１つまたは複数などの１つまたは複数のＵＥによって行われ得る。ＵＥによる成功したＵＣＣＡ４６５の後、ＵＥは、ＵＥがチャネルを予約したという指示を他のＵＥおよび／または装置に与えるためにチャネル使用ビーコン信号（ＣＵＢＳ）４７０を送信し得る。
【００６１】
[0077]  Ｓサブフレーム４３０は、図４Ｂでは０〜１３の番号を付された、１４個のＯＦＤＭシンボルを含み得る。Ｓサブフレーム４３０の第１の部分、この例ではシンボル０〜３は、ダウンリンクパイロットタイムスロット（ＤｗＰＴＳ）４７５として使用され得、Ｓサブフレーム４３０の第２の部分はガード期間（ＧＰ）４８０として使用され得る。Ｓサブフレーム４３０の第３の部分はＵＣＣＡ４６５のために使用され得る。例４５０では、Ｓサブフレーム４３０が、シンボル６〜１２中に含まれる７つのＵ−ＬＢＴスロットを含む。異なるＵＥによるＵ−ＬＢＴスロットの使用は、より効率的なシステム動作を行うように協調され得る。いくつかの例では、ＵＣＣＡを行うために７つの可能なＵＣＣＡスロットのうちのどれを使用すべきかを決定するために、ＵＥが、次の形式のマッピング関数を評価し得る。
【００６２】
【数２】
2020191662.tif 000004
【００６３】
ここで、ＧｒｏｕｐＩＤは、ＵＥに割り当てられた「展開グループｉｄ」であり、ｔは、ＵＣＣＡが行われるフレームに対応するＬＢＴフレーム番号である。
【００６４】
[0078]  ＤＣＣＡおよび／またはＵＣＣＡのためのマッピング関数は、マッピング関数が直交化性質を有することになるのか非直交化性質を有することになるのかに応じて、異なる基準に基づいて構成され得る。直交ＬＢＴアクセスを用いる例では、マッピング関数が、以下による直交化性質を有し得る。
【００６５】
【数３】
2020191662.tif 000005
【００６６】
【数４】
2020191662.tif 000006
【００６７】
全ての時間ｔについて、ｘ≠ｙであるときはいつでもそれぞれの異なるグループｉｄを表す。この場合、異なるグループｉｄをもつ基地局および／またはＵＥは、重複しないＬＢＴ時間間隔中にＣＣＡを行い得る。干渉がない場合、以前のＬＢＴタイムスロットにマッピングするグループｉｄをもつ基地局またはＵＥは、ある時間期間の間チャネルを確保し得る。様々な展開によれば、異なる時間インデックスｔにわたって、マッピング｛ＦD/U（ｘ，ｔ），ｔ＝１，２，３，．．．｝は、異なるグループｉｄが、適切に長い時間間隔にわたって以前のＬＢＴタイムスロットにマッピングする等しい機会を有する（従って、他の干渉がない場合にチャネルを確保する）ように変化するという意味において、マッピング関数は公平である。
【００６８】
[0079]  同じネットワーク事業者／サービスプロバイダによって展開される全ての基地局およびＵＥは、それらが競合プロセスにおいて互いをプリエンプトしないように、同じグループｉｄを割り当てられ得る。これは、同じ展開の基地局およびＵＥの間で完全な周波数再利用を可能にし、これは、拡張されたシステムスループットにつながり得る。異なる展開の基地局および／またはＵＥは、直交ＣＣＡスロットマッピングの場合、チャネルへのアクセスが相互排他的になるように、異なるグループｉｄを割り当てられ得る。
【００６９】
[0080]  非直交または重複するＣＣＡスロットアクセスを用いる例では、マッピング関数が、８つ以上のグループｉｄを使用可能にし得る。状況によっては、例えば、８つ以上の展開グループｉｄをサポートすることは有用であり得、その場合、ＣＣＡスロットマッピング関数の直交性性質を維持することが可能でない。そのような場合、任意の２つのグループＩＤ間の衝突の頻度を減らすことが望ましいことがある。いくつかの例では、非直交ＣＣＡスロットマッピングシーケンスがまた、ＬＢＴ機会に関する緊密な協調なしに展開間の公平なチャネルアクセスを与えるために使用され得る。非直交ＣＣＡスロットマッピングシーケンスの一例は次式によって与えられる。
【００７０】
【数５】
2020191662.tif 000007
【００７１】
【数６】
2020191662.tif 000008
【００７２】
ここで、Ｒ1,7（ｘ，ｔ）は、ＧｒｏｕｐＩＤ  ｘに関して独立して選択される１から７の間の擬似乱数生成器である。この場合、同じＬＢＴフレームｔ中で異なるＧｒｏｕｐＩＤの基地局および／またはＵＥ間に潜在的な衝突があり得る。
【００７３】
[0081]  従って、ＬＢＴタイムスロットは、上記のマッピング関数に従って選択され、Ｄ−ＬＢＴ５４０および／またはＵ−ＬＢＴ５６５のために使用され得る。
【００７４】
[0082]  ＵＥとの通信のいくつかのモードは、複数のチャネル（すなわち、コンポーネントキャリア）を介した通信を必要とし、各チャネルは、異なるコンポーネントキャリアを使用してＵＥといくつかのセルのうちの１つ（例えば、場合によっては異なる基地局であり得るサービングセル）との間に確立され得る。いくつかの例では、２つまたはそれ以上のセルが、キャリアアグリゲーションおよび／またはデュアル接続性（例えば、マルチフロー）通信モードで見つけられ得るように、異なるキャリア周波数またはコンポーネントキャリアを使用し得る。他の例では、２つ以上のセルが、多地点協調（ＣｏＭＰ）通信モードで見つけられ得るように、同じキャリア周波数のもの（例えば、コンポーネントキャリア）であり得る。とにかく、各コンポーネントキャリアは、免許ベースの無線周波数スペクトル帯域および／または免許不要無線周波数スペクトル帯域を介して使用され得、特定の通信モードに関与するコンポーネントキャリアのセットは、全て免許無線周波数スペクトル帯域を介して受信されるか、全て免許不要無線周波数スペクトル帯域を介して受信されるか、または免許無線周波数スペクトル帯域と免許不要無線周波数スペクトル帯域との組合せを介して受信され得る。免許不要無線周波数スペクトル帯域を介してコンポーネントキャリアを使用した通信を確立するために、ＣＣＡは、免許不要無線周波数スペクトル帯域へのアクセスを求めて競合するように行われ得る。ＣＣＡが成功すると、コンポーネントキャリアは、免許不要無線周波数スペクトル帯域中での通信のために使用され得る。ＬＢＴプロシージャが失敗すると、コンポーネントキャリアは使用されないことがある。
【００７５】
[0083]  図５に、本開示の様々な態様による、ダウンリンクコンポーネントキャリア５０５とアップリンクコンポーネントキャリア５１０との例示的なセット５００を示す。より詳細には、例として、図５に、５つのダウンリンク（ＤＬ）コンポーネントキャリア（ＣＣ）５０５と５つのアップリンク（ＵＬ）ＣＣ５１０とを示す。ＤＬ  ＣＣ５０５は、ＤＬ１次コンポーネントキャリア（ＤＬ  ＰＣＣ）５０５−ａと、第１のＤＬ２次コンポーネントキャリア（ＤＬ  ＳＣＣ）５０５−ｂと、第２のＤＬ  ＳＣＣ５０５−ｃと、第３のＤＬ  ＳＣＣ５０５−ｄと、第４のＤＬ  ＳＣＣ５０５−ｅとを含む。同様に、ＵＬ
ＣＣ５１０は、ＵＬ  ＰＣＣ５１０−ａと、第１のＵＬ  ＳＣＣ５１０−ｂと、第２のＵＬ  ＳＣＣ５１０−ｃと、第３のＵＬ  ＳＣＣ５１０−ｄと、第４のＵＬ  ＳＣＣ５１０−ｅとを含む。ＵＬ  ＰＣＣ５１０−ａは、ＬＴＥ／ＬＴＥ−Ａネットワークなどのネットワークの場合、ＰＵＣＣＨを搬送し得、ＵＬ  ＰＣＣ５１０−ａと、第１のＵＬ  ＳＣＣ５１０−ｂと、第２のＵＬ  ＳＣＣ５１０−ｃと、第３のＵＬ  ＳＣＣ５１０−ｄと、第４のＵＬ  ＳＣＣ５１０−ｅとの各々は、ＰＵＳＣＨを搬送し得る。肯定応答および否定応答（ＡＣＫ／ＮＡＫ）、チャネル状態情報（ＣＳＩ）、および／またはスケジューリング要求（ＳＲ）制御情報などのアップリンク制御情報は、いくつかの例で、ＰＵＣＣＨ上で送信され得る。
【００７６】
[0084]  いくつかの例では、ＤＬ  ＰＣＣ５０５−ａと、第１のＤＬ  ＳＣＣ５０５−ｂと、第２のＤＬ  ＳＣＣ５０５−ｃと、第３のＤＬ  ＳＣＣ５０５−ｄと、第４のＤＬ
ＳＣＣ５０５−ｅとの各々が、ＤＬ  ＰＣＣ５０５−ａに対応する第１のセルと、第１のＤＬ  ＳＣＣ５０５−ｂに対応する第２のセルと、第２のＤＬ  ＳＣＣ５０５−ｃに対応する第３のセルと、第３のＤＬ  ＳＣＣ５０５−ｄに対応する第４のセルと、第４のＤＬ  ＳＣＣ５０５−ｅに対応する第５のセルとについてのアップリンク制御情報を報告するために、ＵＬ  ＰＣＣ５１０−ａにマッピングされ得る。ＵＬ  ＰＣＣ５１０−ａ上で搬送されるＰＵＣＣＨのオーバーヘッドを低減するために、ＰＵＣＣＨは、ＵＬ  ＰＣＣ５１０−ａのアップリンクサブフレーム中のリソース（例えば、１つまたは複数のＯＦＤＭシンボルなどの共用リソース）が第１のセルと、第２のセルと、第３のセルと、第４のセルと、第５のセルとの各々についてのアップリンク制御情報を報告するために使用されるように構成され得る。従って、アップリンクサブフレーム中のリソースを求める競合が存在し得る。競合を解決するために、第１のセルと、第２のセルと、第３のセルと、第４のセルと、第５のセルとの各々についてのアップリンク制御情報の報告は、第１のセルと、第２のセルと、第３のセルと、第４のセルと、第５のセルとのうちの１つについてのアップリンク制御情報がリソースの特定のインスタンス中に送信されるように優先順位を付けられ得る。
【００７７】
[0085]  周期アップリンク制御情報報告および／または非周期アップリンク制御情報報告は、データおよび制御情報が、ＤＬ  ＣＣ５０５などのＤＬ  ＣＣのセットを介して（例えば、異なるコンポーネントキャリアを使用して）複数のセルからＵＥに送信され、ＵＬ  ＣＣ５１０などのＵＬ  ＣＣのセットを介してＵＥから、複数のセルに対応する基地局のうちの１つまたは複数に送信されるシステムにおいてサポートされ得る。キャリアアグリゲーションモードでの周期アップリンク制御情報報告の一例では、アップリンク制御情報の報告が、ＣＳＩの報告タイプの優先度レベルに基づいて優先順位を付けられ得る。
【００７８】
[0086]  いくつかの例で、ＣＳＩの報告タイプの優先度レベルは、ＣＳＩの報告タイプがランクインジケータ（ＲＩ）、プリコーディングタイプインジケータ（ＰＴＩ）、または広帯域プリコーディング行列インジケータ（ＰＭＩ）のうちの少なくとも１つ（例えば、３、５、６、または２ａの報告タイプ）を含むときに最優先レベル、ＣＳＩの報告タイプが広帯域チャネル品質指示（ＣＱＩ）、またはＰＭＩをもつ広帯域ＣＱＩのうちの少なくとも１つ（例えば、２、２ｂ、２ｃ、または４の報告タイプ）を含むときに中優先レベル、並びに／あるいはＣＳＩの報告タイプがサブバンドＣＱＩまたはＰＭＩをもつサブバンドＣＱＩのうちの少なくとも１つ（例えば、１、１ａの報告タイプ）を含むときに低優先度レベルを含み得る。ＣＳＩの報告タイプの優先度レベルが、２つ以上のセルに対して同じであるとき、アップリンク制御情報を報告するための優先順位は、競合するセルのサービングセルインデックスの比較に基づいて決定され得る。例えば、より低いセルインデックスをもつセルは、より高いセルインデックスをもつセルに勝る優先順位が与えられ得る。複数のセルのためのサービングセルインデックスは、ＵＥごとに構成され得る。ＰＵＳＣＨが送信されるかどうかにかかわらず、同じ優先順位ルールが適用され得る。
【００７９】
[0087]  複数のセルについてのアップリンク制御情報の報告に優先順位を付けた後、最高優先順位に関連するセルについてのアップリンク制御情報は、競合が存在するリソースを使用して報告され得、残りのセルについてのアップリンク制御情報は破棄され得る。
【００８０】
[0088]  キャリアアグリゲーションモードでの非周期アップリンク制御情報報告の一例では、アップリンク制御情報の報告が、２ビットＣＳＩ要求フィールドの状態に基づいて優先順位を付けられ得、ここで、「００」状態は、ＣＳＩが報告されるべきでないことを示し得、「０１」状態は、システム情報ブロック２（ＳＩＢ２）である、セル／ＤＬ  ＣＣ５０５についてのアップリンク制御情報がＵＬ  ＰＣＣ５１０−ａにリンクされたことを示し得、「１０」および「１１」状態は、複数のセルについてのアップリンク制御情報の報告の優先順位付けが無線リソース制御（ＲＲＣ）によって構成されることを示し得る。共通探索空間の場合、「０」状態は、ＣＳＩが報告されるべきでないことを示し得、「１」状態は、複数のセルについてのアップリンク制御情報の報告の優先順位付けがＲＲＣによって構成されることを示し得る。ＲＲＣは、最高５つのコンポーネントキャリアの任意の組合せのための報告に優先順位を付け得る。
【００８１】
[0089]  ２つ以上のＣＳＩプロセスが定義され得、各ＣＳＩプロセスがＣｏＭＰに関与する特定の送信ポイントに関連付けられるＣｏＭＰモードでの非周期アップリンク制御情報報告の一例では、アップリンク制御情報の報告が、２ビットＣＳＩ要求フィールドの状態に基づいて優先順位を付けられ得、ここで、「００」状態は、ＣＳＩが報告されるべきでないことを示し得、「０１」状態は、複数のセルについてのアップリンク制御情報の報告の優先順位付けがＲＲＣによって構成されることを示し、ＲＲＣによって構成されるＣＳＩプロセスが所与のセルに限定され得、「１０」および「１１」状態は、複数のセルについてのアップリンク制御情報の報告の優先順位付けがＲＲＣによって構成されることを示し得る。共通探索空間の場合、「０」状態は、ＣＳＩが報告されるべきでないことを示し得、「１」状態は、複数のセルについてのアップリンク制御情報の報告の優先順位付けがＲＲＣによって構成されることを示し得る。ＲＲＣは、最高５つのコンポーネントキャリアの任意の組合せのための報告に優先順位を付け得る。
【００８２】
[0090]  ここで、図５に示すＤＬ  ＣＣ５０５などのＤＬ  ＣＣのセットについて検討する。一例では、ＤＬ  ＰＣＣ５０５−ａなどの第１のＤＬ  ＣＣが、免許無線周波数スペクトル帯域（例えば、スペクトル帯域は特定の使用のために特定のユーザにライセンスが与えられるので、装置がアクセスを求めて競合しない無線周波数スペクトル帯域）を介して送信される。ＤＬ  ＳＣＣ５０５−ｂなどの第２のＤＬ  ＣＣは、免許不要無線周波数スペクトル帯域（例えば、Ｗｉ−Ｆｉ無線周波数スペクトル帯域などの無線周波数スペクトル帯域が、免許不要使用のために利用可能であるので、装置がアクセスを求めて競合する必要があり得る無線周波数スペクトル帯域）を介して送信され得る。ＤＬ  ＰＣＣに（いくつかの例で）「０」のサービングセルインデックス（すなわち、最低のサービングセルインデックス）が割り当てられるので、ＣＳＩの報告タイプの優先度レベルに基づいてリソースを求める競合があるときはいつでも、ＤＬ  ＰＣＣ５０５−ａに関連するセルは優先順位が付与されることになる。これは、免許不要無線周波数スペクトル帯域の使用が、成功したＬＢＴ手順を介して免許不要無線周波数スペクトル帯域へのアクセスを求めて競合することに依存する（従って、日和見的である）こととあいまって、ＤＬ  ＳＣＣ５０５−ｂに関連するセルについてのアップリンク制御情報の報告がまれであり得、または、場合によっては、効果的にブロックされ得ることを意味する。しかしながら、免許不要無線周波数スペクトル帯域へのアクセスを求めて競合する動的性質のために、免許不要無線周波数スペクトル帯域を介してＣＣを使用するセルについてのアップリンク制御情報は、特に、失敗したクリアチャネルアセスメントの長い連続があるとき、より有益であり得る。従って、いくつかの例では、セルが免許不要無線周波数スペクトル帯域を利用するかどうかに少なくとも部分的に基づいてアップリンクサブフレームの共用リソースについてアップリンク制御情報の報告に優先順位を付けることが有用であり得る。
【００８３】
[0091]  基地局によって行われたクリアチャネルアセスメントが、免許不要無線周波数スペクトル帯域中のコンポーネントキャリアにアクセスする競合に勝つことに失敗したとき、免許不要無線周波数スペクトル帯域中のコンポーネントキャリアについてのチャネル状態情報を推定するために送信される１つまたは複数の信号が存在しないことがある（例えば、有効な測定サブフレームが存在しないことがある）。周期ＣＳＩ報告の場合、ＵＥは、最後の有効なサブフレームについて行われた測定（例えば、基地局によって行われたクリアチャネルアセスメントが成功した最後のサブフレームについての測定）に基づいてチャネル状態情報を推定および／または報告し得る。しかしながら、非周期ＣＳＩ報告の場合、非周期ＣＳＩ報告のイベント駆動型の性質により、チャネル状態情報を推定するために測定のバッファリング（または測定サブフレーム）が必要になり得る。非周期ＣＳＩ報告がイベント駆動型であるので、最後の有効なサブフレームについて行われた測定は、不確定継続時間の間（例えば、基地局が、免許不要無線周波数スペクトル帯域のコンポーネントキャリアにアクセスする競合に勝つまで）バッファされる必要があり得る。
【００８４】
[0092]  基地局によって行われたクリアチャネルアセスメントが成功したが、それが失敗したとＵＥが間違って決定すると、ＵＥは、免許不要無線周波数スペクトル帯域中のコンポーネントキャリアについてのチャネル状態情報を推定するために送信される１つまたは複数の信号が存在しない（例えば、有効な測定サブフレームが存在しない）と仮定し得る。
【００８５】
[0093]  一例では、基地局において、ＣＳＩが報告されるかどうかおよび／またはそれがいつ報告されるのかに関する曖昧さ、並びにＣＳＩが報告されるコンポーネントキャリアに関する曖昧さがあり得る（すなわち、ＵＥのＣＳＩ報告に関する基地局の不整合があり得る）。この曖昧さは、基地局によって行われるクリアチャネルアセスメントの失敗によるものであり得る。この曖昧さはまた、基地局によって行われたクリアチャネルアセスメントが（実際は、クリアチャネルアセスメントが成功または失敗しなかったときに）成功または失敗したとＵＥが間違って決定することによって生じ得る。さらに、この曖昧さは、基地局によって行われるクリアチャネルアセスメントが成功したと決定されたか、または失敗したと決定されたかに基づいてＵＥが異なるタイプのＣＳＩを報告する（またはＣＳＩを報告しない）ことの結果であり得る。ＵＥの非周期ＣＳＩ報告とＵＥの周期ＣＳＩ報告とに関するｅＮＢの様々な不整合の問題が以下に説明される。
【００８６】
[0094]  非周期チャネル状態情報報告に関する基地局の不整合問題の第１の例として、ダウンリンクフレームについて免許不要無線周波数スペクトル帯域中のコンポーネントキャリアにアクセスするのにクリアチャネルアセスメントが失敗したと間違って決定するＵＥについて検討する。クリアチャネルアセスメントが失敗したとＵＥが決定するので、ＵＥは、免許不要無線周波数スペクトル帯域中のコンポーネントキャリアに関連する非周期チャネル状態情報を報告するのを省略し得る。しかしながら、基地局によって行われたクリアチャネルアセスメントが成功したので、基地局は、非周期チャネル状態情報の報告を予想し得る（基地局が、非周期チャネル状態情報の報告を動的に要求したと仮定する）。これは、不整合問題を表す。不整合問題の第２の例として、ＰＵＳＣＨ上でアップリンク共有チャネル（ＵＬ−ＳＣＨ）とともに報告される非周期チャネル状態情報について検討する。非周期チャネル状態情報が、利用可能なＰＵＳＣＨリソースを分割することによってＵＬ−ＳＣＨと多重化され得るので、基地局は、非周期チャネル状態情報にどのＰＵＳＣＨリソースが割り当てられるのか、およびＵＬ−ＳＣＨにどのリソースが割り当てられるのかを見分けることができないことがある。これは、不整合問題を表す。場合によっては、基地局は、非周期チャネル状態情報およびＵＬ−ＳＣＨへのリソースの割当てをブラインド検出しようと試み得る。ブラインド検出は、成功することも成功しないこともある。不整合問題の第３の例として、複数のコンポーネントキャリア（例えば、１つの１次コンポーネントキャリアと１つまたは複数の２次コンポーネントキャリアと）の存在下での非周期チャネル状態情報のみの送信について検討する。基地局は、非周期チャネル状態情報が適用されるコンポーネントキャリアの数または識別情報を決定できないことがある。これは、不整合問題を表す。
【００８７】
[0095]  周期チャネル状態情報報告に関する基地局の不整合問題の第１の例として、免許不要無線周波数スペクトル帯域中のコンポーネントキャリアのためのダウンリンクフレームについてクリアチャネルアセスメントが失敗したと間違って決定するＵＥについて検討する。クリアチャネルアセスメントが失敗したとＵＥが決定するので、ＵＥは、周期チャネル状態情報を報告するのを省略するか、または免許無線周波数スペクトル帯域中のコンポーネントキャリアについての周期チャネル状態情報を報告し得る。しかしながら、基地局によって行われたクリアチャネルアセスメントが成功したので、基地局は、免許不要無線周波数スペクトル帯域中のコンポーネントキャリアについての周期チャネル状態情報の報告を予想し得る。ＵＥから周期チャネル状態情報を受信する基地局が、周期チャネル状態情報が免許不要無線周波数スペクトル帯域中のコンポーネントキャリアに対応するのか、または免許無線周波数スペクトル帯域中のコンポーネントキャリアに対応するのかをブラインド検出しようと試み得るが、ブラインド検出は、（例えば、特に、免許不要無線周波数スペクトル帯域についての周期チャネル状態情報のビット幅と免許無線周波数スペクトル帯域についての周期チャネル状態情報のビット幅とが同じであるとき）成功しないことがある。これは、不整合問題を表す。
【００８８】
[0096]  図６に、本開示の様々な態様による、ワイヤレス通信において使用するための装置６０５のブロック図６００を示す。いくつかの例では、装置６０５が、図１および／または図２を参照して説明されるＵＥ１１５および／または２１５のうちの１つまたは複数の態様の一例であり得る。装置６０５はまたプロセッサであり得る。装置６０５は、受信機モジュール６１０、ワイヤレス通信管理モジュール６２０、および／または送信機モジュール６３０を含み得る。これらの構成要素の各々は、互いに通信し得る。
【００８９】
[0097]  装置６０５の構成要素は、ハードウェアにおいて適用可能な機能の一部または全部を行うように適応された１つまたは複数の特定用途向け集積回路（ＡＳＩＣ）を使用して、個々にまたは集合的に実施され得る。代替的に、機能は、１つまたは複数の他の処理ユニット（または、コア）によって、１つまたは複数の集積回路上で行われ得る。他の例では、当技術分野で知られている任意の方法でプログラムされ得る、他のタイプの集積回路（例えば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用プロセッサまたは特定用途向けプロセッサによって実行されるようにフォーマッティングされた、メモリに組み込まれた命令を用いて実施され得る。
【００９０】
[0098]  いくつかの例では、受信機モジュール６１０が、免許無線周波数スペクトル帯域（例えば、無線周波数スペクトル帯域は特定の使用のために特定のユーザにライセンスが与えられるので、装置がアクセスを求めて競合しない無線周波数スペクトル帯域）および／または免許不要無線周波数スペクトル帯域（例えば、Ｗｉ−Ｆｉ無線周波数スペクトル帯域および／または別の免許不要無線周波数スペクトル帯域など、無線周波数スペクトル帯域が、免許不要使用のために利用可能であるので、装置がアクセスを求めて競合する必要があり得る無線周波数スペクトル帯域）を介した送信を受信するように動作可能な少なくとも１つの無線周波数（ＲＦ）受信機などの少なくとも１つのＲＦ受信機を含み得る。いくつかの例では、免許無線周波数スペクトル帯域と免許不要無線周波数スペクトル帯域との両方が、例えば、図１および／または図２に参照して説明されるように、ＬＴＥ／ＬＴＥ−Ａ通信のために使用され得る。受信機モジュール６１０は、図１および／または図２を参照して説明されたワイヤレス通信システム１００および／または２００の１つまたは複数の通信リンクなど、ワイヤレス通信システムの１つまたは複数の通信リンク上で様々なタイプのデータおよび／または制御信号（すなわち、送信）を受信するために使用され得る。通信リンクは、免許無線周波数スペクトル帯域および／または免許不要無線周波数スペクトル帯域を介して確立され得る。
【００９１】
[0099]  いくつかの例では、送信機モジュール６３０が、免許無線周波数スペクトル帯域および／または免許不要無線周波数スペクトル帯域を介して送信するように動作可能な少なくとも１つのＲＦ送信機などの少なくとも１つのＲＦ送信機を含み得る。送信機モジュール６３０は、図１および／または図２を参照して説明されたワイヤレス通信システム１００および／または２００の１つまたは複数の通信リンクなど、ワイヤレス通信システムの１つまたは複数の通信リンク上で様々なタイプのデータおよび／または制御信号（すなわち、送信）を送信するために使用され得る。通信リンクは、免許無線周波数スペクトル帯域および／または免許不要無線周波数スペクトル帯域を介して確立され得る。
【００９２】
[0100]  いくつかの例では、ワイヤレス通信管理モジュール６２０が、１つまたは複数のコンポーネントキャリアを介してサービスを受信するように構成され、コンポーネントキャリアのうちの少なくとも１つが、免許不要無線周波数スペクトル帯域中にあり得る。ワイヤレス通信管理モジュール６２０はまた、免許不要無線周波数スペクトル帯域中の少なくとも１つのコンポーネントキャリアのチャネル状態情報を推定するためにコンポーネントキャリアのうちの少なくとも１つに関連する１つまたは複数の信号を測定するように構成され得る。チャネル状態情報は、次いで、チャネル状態情報を理解することを可能にする形で（例えば、チャネル状態情報の性質の曖昧さが低減または除去され得る形で）（例えば、基地局に）送信され得る。チャネル状態情報から曖昧さを低減または除去するための技法は、例えば、コンポーネントキャリアのためのダウンリンクフレームについてクリアチャネルアセスメントが失敗したと決定されたときでも、チャネル状態情報を送信すること、どのチャネル状態情報がいつ送信されるべきであるかを基地局が明示的に構成することを可能にすること、またはチャネル状態情報に関連するコンポーネントキャリアを識別するために使用される指示とともにチャネル状態情報を送信することを含み得る。これらおよび他の技法が、図７〜図８および図１０〜図１８を参照してより詳細に説明される。
【００９３】
[0101]  図７に、本開示の様々な態様による、ワイヤレス通信において使用するための装置７０５のブロック図７００を示す。いくつかの例では、装置７０５が、図１および／または図２を参照して説明されたＵＥ１１５および／または２１５のうちの１つまたは複数の態様の一例、並びに／あるいは図６を参照して説明された装置６０５の態様の一例であり得る。装置７０５はまたプロセッサであり得る。装置７０５は、受信機モジュール７１０、ワイヤレス通信管理モジュール７２０、および／または送信機モジュール７３０を含み得る。これらの構成要素の各々は、互いに通信し得る。
【００９４】
[0102]  装置７０５の構成要素は、ハードウェアにおいて適用可能な機能の一部または全部を行うように適応された１つまたは複数のＡＳＩＣを使用して、個々にまたは集合的に実施され得る。代替的に、機能は、１つまたは複数の他の処理ユニット（または、コア）によって、１つまたは複数の集積回路上で行われ得る。他の例では、当技術分野で知られている任意の方法でプログラムされ得る、他のタイプの集積回路（例えば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマッティングされた、メモリに組み込まれた命令を用いて実施され得る。
【００９５】
[0103]  いくつかの例では、受信機モジュール７１０が、免許無線周波数スペクトル帯域（例えば、無線周波数スペクトル帯域は特定の使用のために特定のユーザにライセンスが与えられるので、装置がアクセスを求めて競合しない無線周波数スペクトル帯域）および／または免許不要無線周波数スペクトル帯域（例えば、Ｗｉ−Ｆｉ無線周波数スペクトル帯域などの無線周波数スペクトル帯域が、免許不要使用のために利用可能であるので、装置がアクセスを求めて競合する必要があり得る無線周波数スペクトル帯域）を介した送信を受信するように動作可能な少なくとも１つのＲＦ受信機などの少なくとも１つのＲＦ受信機を含み得る。いくつかの例では、免許無線周波数スペクトル帯域と免許不要無線周波数スペクトル帯域との両方が、例えば、図１および／または図２に参照して説明されたように、ＬＴＥ／ＬＴＥ−Ａ通信のために使用され得る。受信機モジュール７１０は、場合によっては、免許無線周波数スペクトル帯域および免許不要無線周波数スペクトル帯域のための別個の受信機を含み得る。別個の受信機は、いくつかの例で、免許無線周波数スペクトル帯域を介して通信するための免許ＲＦスペクトル帯域ＬＴＥ／ＬＴＥ−Ａ受信機モジュール７１２、および免許不要無線周波数スペクトル帯域を介して通信するための免許不要ＲＦスペクトル帯域ＬＴＥ／ＬＴＥ−Ａ受信機モジュール７１４の形態をとり得る。免許ＲＦスペクトル帯域ＬＴＥ／ＬＴＥ−Ａ受信機モジュール７１２および／または免許不要ＲＦスペクトル帯域ＬＴＥ／ＬＴＥ−Ａ受信機モジュール７１４を含む受信機モジュール７１０は、図１および／または図２を参照して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、免許無線周波数スペクトル帯域および／または免許不要無線周波数スペクトル帯域を介して確立され得る。
【００９６】
[0104]  いくつかの例では、送信機モジュール７３０が、免許無線周波数スペクトル帯域および／または免許不要無線周波数スペクトル帯域を介して送信するように動作可能な少なくとも１つのＲＦ送信機などの少なくとも１つのＲＦ送信機を含み得る。送信機モジュール７３０は、場合によっては、免許無線周波数スペクトル帯域および免許不要無線周波数スペクトル帯域のための別個の送信機を含み得る。別個の送信機は、いくつかの例で、免許無線周波数スペクトル帯域を介して通信するための免許ＲＦスペクトル帯域ＬＴＥ／ＬＴＥ−Ａ送信機モジュール７３２、および免許不要無線周波数スペクトル帯域を介して通信するための免許不要ＲＦスペクトル帯域ＬＴＥ／ＬＴＥ−Ａ送信機モジュール７３４の形態をとり得る。免許ＲＦスペクトル帯域ＬＴＥ／ＬＴＥ−Ａ送信機モジュール７３２および／または免許不要ＲＦスペクトル帯域ＬＴＥ／ＬＴＥ−Ａ送信機モジュール７３４を含む送信機モジュール７３０は、図１および／または図２を参照して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、免許無線周波数スペクトル帯域および／または免許不要無線周波数スペクトル帯域を介して確立され得る。
【００９７】
[0105]  いくつかの例では、ワイヤレス通信管理モジュール７２０が、図６を参照して説明されたワイヤレス通信管理モジュール６２０の１つまたは複数の態様の一例であり得る。ワイヤレス通信管理モジュール７２０は、コンポーネントキャリア管理モジュール７３５、および／またはコンポーネントキャリア信号測定モジュール７４０を含み得る。これらの構成要素の各々は、互いに通信し得る。
【００９８】
[0106]  いくつかの例では、コンポーネントキャリア管理モジュール７３５が、コンポーネントキャリアを介してサービスを（例えば、基地局から）受信するために使用され得る。コンポーネントキャリアは、免許不要無線周波数スペクトル帯域中にあり得る。いくつかの例では、サービス（あるいは１つまたは複数の他のサービス）が、免許不要無線周波数スペクトル帯域中の１つまたは複数の追加のコンポーネントキャリアおよび／あるいは免許無線周波数スペクトル帯域中の１つまたは複数のコンポーネントキャリアを介して受信され得る。
【００９９】
[0107]  いくつかの例では、コンポーネントキャリア信号測定モジュール７４０が、免許不要無線周波数スペクトル帯域中のコンポーネントキャリアのチャネル状態情報を推定するためにコンポーネントキャリア上で送信される１つまたは複数の信号を測定するために使用され得る。
【０１００】
[0108]  図８に、本開示の様々な態様による、ワイヤレス通信において使用するための装置８０５のブロック図８００を示す。いくつかの例では、装置８０５が、図１および／または図２を参照して説明されたＵＥ１１５および／または２１５のうちの１つまたは複数の態様の一例、並びに／あるいは図６および／または図７を参照して説明された装置６０５および／または７０５の態様の一例であり得る。装置８０５はまたプロセッサであり得る。装置８０５は、受信機モジュール８１０、ワイヤレス通信管理モジュール８２０、および／または送信機モジュール８３０を含み得る。これらの構成要素の各々は、互いに通信し得る。
【０１０１】
[0109]  装置８０５の構成要素は、ハードウェアにおいて適用可能な機能の一部または全部を行うように適応された１つまたは複数のＡＳＩＣを使用して、個々にまたは集合的に実施され得る。代替的に、機能は、１つまたは複数の他の処理ユニット（または、コア）によって、１つまたは複数の集積回路上で行われ得る。他の例では、当技術分野で知られている任意の方法でプログラムされ得る、他のタイプの集積回路（例えば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマッティングされた、メモリに組み込まれた命令を用いて実施され得る。
【０１０２】
[0110]  いくつかの例では、受信機モジュール８１０が、免許無線周波数スペクトル帯域（例えば、無線周波数スペクトル帯域は特定の使用のために特定のユーザにライセンスが与えられるので、装置がアクセスを求めて競合しない無線周波数スペクトル帯域）および／または免許不要無線周波数スペクトル帯域（例えば、Ｗｉ−Ｆｉ無線周波数スペクトル帯域などの無線周波数スペクトル帯域が、免許不要使用のために利用可能であるので、装置がアクセスを求めて競合する必要があり得る無線周波数スペクトル帯域）を介した送信を受信するように動作可能な少なくとも１つのＲＦ受信機などの少なくとも１つのＲＦ受信機を含み得る。いくつかの例では、免許無線周波数スペクトル帯域と免許不要無線周波数スペクトル帯域との両方が、例えば、図１および／または図２に参照して説明されたように、ＬＴＥ／ＬＴＥ−Ａ通信のために使用され得る。受信機モジュール８１０は、場合によっては、免許無線周波数スペクトル帯域および免許不要無線周波数スペクトル帯域のための別個の受信機を含み得る。別個の受信機は、いくつかの例で、免許無線周波数スペクトル帯域を介して通信するための免許ＲＦスペクトル帯域ＬＴＥ／ＬＴＥ−Ａ受信機モジュール８１２、および免許不要無線周波数スペクトル帯域を介して通信するための免許不要ＲＦスペクトル帯域ＬＴＥ／ＬＴＥ−Ａ受信機モジュール８１４の形態をとり得る。免許ＲＦスペクトル帯域ＬＴＥ／ＬＴＥ−Ａ受信機モジュール８１２および／または免許不要ＲＦスペクトル帯域ＬＴＥ／ＬＴＥ−Ａ受信機モジュール８１４を含む受信機モジュール８１０は、図１および／または図２を参照して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を受信するために使用され得る。通信リンクは、免許無線周波数スペクトル帯域および／または免許不要無線周波数スペクトル帯域を介して確立され得る。
【０１０３】
[0111]  いくつかの例では、送信機モジュール８３０が、免許無線周波数スペクトル帯域および／または免許不要無線周波数スペクトル帯域を介して送信するように動作可能な少なくとも１つのＲＦ送信機などの少なくとも１つのＲＦ送信機を含み得る。送信機モジュール８３０は、場合によっては、免許無線周波数スペクトル帯域および免許不要無線周波数スペクトル帯域のための別個の送信機を含み得る。別個の送信機は、いくつかの例で、免許無線周波数スペクトル帯域を介して通信するための免許ＲＦスペクトル帯域ＬＴＥ／ＬＴＥ−Ａ送信機モジュール８３２、および免許不要無線周波数スペクトル帯域を介して通信するための免許不要ＲＦスペクトル帯域ＬＴＥ／ＬＴＥ−Ａ送信機モジュール８３４の形態をとり得る。免許ＲＦスペクトル帯域ＬＴＥ／ＬＴＥ−Ａ送信機モジュール８３２および／または免許不要ＲＦスペクトル帯域ＬＴＥ／ＬＴＥ−Ａ送信機モジュール８３４を含む送信機モジュール８３０は、図１および／または図２を参照して説明されたワイヤレス通信システム１００および／または２００の１つまたは複数の通信リンクなど、ワイヤレス通信システムの１つまたは複数の通信リンクを介して、様々なタイプのデータおよび／または制御信号（すなわち、送信）を送信するために使用され得る。通信リンクは、免許無線周波数スペクトル帯域および／または免許不要無線周波数スペクトル帯域を介して確立され得る。
【０１０４】
[0112]  いくつかの例では、ワイヤレス通信管理モジュール８２０が、図６および／または図７を参照して説明されたワイヤレス通信管理モジュール６２０および／または７２０の１つまたは複数の態様の一例であり得る。ワイヤレス通信管理モジュール８２０は、ＤＣＣＡ分析モジュール８３５、コンポーネントキャリア管理モジュール８４０、コンポーネントキャリア信号測定モジュール８４５、非周期ＣＳＩ（Ａ−ＣＳＩ）報告モジュール８５０、および／または周期ＣＳＩ（Ｐ−ＣＳＩ）報告モジュール８７０を含み得る。これらの構成要素の各々は、互いに通信し得る。
【０１０５】
[0113]  いくつかの例では、ＤＣＣＡ分析モジュール８３５が、免許不要無線周波数スペクトル帯域中のコンポーネントキャリアのためのダウンリンクフレームについてクリアチャネルアセスメントが失敗したかどうかを決定するために使用され得る。いくつかの例では、ＤＣＣＡ分析モジュール８３５が、チャネル使用ビーコン信号、チャネル状態情報報告のための基準信号、および／またはダウンリンクフレームについて受信された他の情報（そのいずれかまたは全ては、免許不要無線周波数スペクトル帯域中のコンポーネントキャリアを介して基地局から受信され得る）に少なくとも部分的に基づいてクリアチャネルアセスメントが失敗したかどうかを決定し得る。
【０１０６】
[0114]  いくつかの例では、コンポーネントキャリア管理モジュール８４０が、コンポーネントキャリアを介してサービスを（例えば、基地局から）受信するために使用され得る。コンポーネントキャリアは、免許不要無線周波数スペクトル帯域中にあり得る。いくつかの例では、サービス（あるいは１つまたは複数の他のサービス）がまた、免許不要無線周波数スペクトル帯域中の１つまたは複数の追加のコンポーネントキャリアおよび／または免許無線周波数スペクトル帯域中の１つまたは複数のコンポーネントキャリアを介して受信され得る。
【０１０７】
[0115]  いくつかの例では、コンポーネントキャリア信号測定モジュール８４５が、免許不要無線周波数スペクトル帯域中のコンポーネントキャリアのチャネル状態情報を推定するために少なくとも１つのコンポーネントキャリア上で送信される１つまたは複数の信号を測定するために使用され得る。代替または追加として、コンポーネントキャリア信号測定モジュール８４５は、免許無線周波数スペクトル帯域中の少なくとも１つのコンポーネントキャリア上で送信される１つまたは複数の信号を測定するために使用され得る。
【０１０８】
[0116]  いくつかの例では、Ａ−ＣＳＩ報告モジュール８５０が、（例えば、基地局に）チャネル状態情報を非周期的に送信するために使用され得る。例えば、装置８０５の第１の動作モードでは、コンポーネントキャリア管理モジュール８４０が、コンポーネントキャリアを介してサービスを（例えば、基地局から）受信するために使用され得る。コンポーネントキャリアは、免許不要無線周波数スペクトル帯域中にあり得る。ＤＣＣＡ分析モジュール８３５は、コンポーネントキャリアのためのダウンリンクフレームについてクリアチャネルアセスメントが失敗したかどうかを決定するために使用され得る。コンポーネントキャリアのためのダウンリンクフレームについてクリアチャネルアセスメントが成功したと決定すると、コンポーネントキャリア信号測定モジュール８４５は、免許不要無線周波数スペクトル帯域中のコンポーネントキャリアのチャネル状態情報を推定するためにコンポーネントキャリア上で送信される１つまたは複数の信号を測定するために使用され得る。Ａ−ＣＳＩ報告モジュール８５０は、次いで、例えば、図５に参照して説明されたように、デフォルトの報告ルールに従って、チャネル状態情報を非周期的に送信するかまたは送信しないために使用され得る。ダウンリンクフレームについて免許不要無線周波数スペクトル帯域中のコンポーネントキャリアにアクセスするのにクリアチャネルアセスメントが失敗したと決定すると、コンポーネントキャリア信号測定モジュール８４５は、１）免許不要無線周波数スペクトル帯域中のコンポーネントキャリアのチャネル状態情報を推定するためにコンポーネントキャリア上で送信される１つまたは複数の履歴信号についての測定値を取り出すこと（例えば、チャネル状態情報を推定するためにコンポーネントキャリアに関連する１つまたは複数の履歴信号の測定に基づいて測定値を取り出すこと）、または２）免許不要無線周波数スペクトル帯域中のコンポーネントキャリアのチャネル状態情報を推定するためにコンポーネントキャリア上で送信される１つまたは複数の現在の信号を測定することを行うために使用され得る。１つまたは複数の信号は、コンポーネントキャリアのためのダウンリンクフレーム中に測定され得る。Ａ−ＣＳＩ報告モジュール８５０および／またはＡ−ＣＳＩ半静的構成モジュール８５５は、次いで、コンポーネントキャリアのチャネル状態情報を非周期的に送信するために使用され得る。
【０１０９】
[0117]  チャネル状態情報の非周期送信はクリアチャネルアセスメントが失敗したかどうかをＵＥが正しく決定することに依存しないので、装置８０５の第１の動作モードは１つの点で有用であり得る。これは、コンポーネントキャリアを介して通信している基地局とＵＥとの間により良い整合を与え得るが、特に、免許不要無線周波数スペクトル帯域中のコンポーネントキャリアのためのサービングセルがクリアチャネルアセスメントを失敗する確率が高いとき、より高いオーバーヘッドが犠牲になる。いくつかの例では、装置８０５によって送信されたチャネル状態情報を受信する基地局が、有用でないチャネル状態情報を（例えば、それが実際に失敗したクリアチャネルアセスメントに対応するので）破棄し得る。
【０１１０】
[0118]  装置８０５の第２の動作モードでは、コンポーネントキャリア管理モジュール８４０が、コンポーネントキャリアを介してサービスを（例えば、基地局から）受信するために使用され得る。コンポーネントキャリアは、免許不要無線周波数スペクトル帯域中にあり得る。ＤＣＣＡ分析モジュール８３５は、コンポーネントキャリアのためのダウンリンクフレームについてクリアチャネルアセスメントが失敗したかどうかを決定するために使用され得る。コンポーネントキャリアのためのダウンリンクフレームについてクリアチャネルアセスメントが成功したと決定すると、コンポーネントキャリア信号測定モジュール８４５は、チャネル状態情報を推定するために免許不要無線周波数スペクトル帯域中のコンポーネントキャリアに関連する１つまたは複数の信号を測定するために使用され得る。Ａ−ＣＳＩ報告モジュール８５０および／またはＡ−ＣＳＩ半静的構成モジュール８５５は、次いで、例えば、図５に参照して説明されたように、デフォルトの報告ルールに従って、チャネル状態情報を非周期的に送信するかまたは送信しないために使用され得る。ダウンリンクフレームについて免許不要無線周波数スペクトル帯域中のコンポーネントキャリアにアクセスするのにクリアチャネルアセスメントが失敗したと決定すると、コンポーネントキャリア信号測定モジュール８４５は、１）免許不要無線周波数スペクトル帯域中のコンポーネントキャリアのチャネル状態情報を推定するためにコンポーネントキャリア上で送信された１つまたは複数の履歴信号についての測定値を取り出すこと（例えば、チャネル状態情報を推定するためにコンポーネントキャリアに関連する１つまたは複数の履歴信号の測定に基づいて測定値を取り出すこと）、または２）免許不要無線周波数スペクトル帯域中のコンポーネントキャリアのチャネル状態情報を推定するために少なくとも１つのコンポーネントキャリア上で送信される１つまたは複数の現在の信号を測定することを行うために使用され得る。１つまたは複数の信号は、コンポーネントキャリアのためのダウンリンクフレーム中に測定され得る。Ａ−ＣＳＩ報告モジュール８５０は、次いで、コンポーネントキャリアのためのダウンリンクフレームの１つまたは複数のサブフレームについてのチャネル状態情報の非周期送信を省略するために使用され得る。
【０１１１】
[0119]  装置８０５の第３の動作モードでは、コンポーネントキャリア管理モジュール８４０が、コンポーネントキャリアを介してサービスを（例えば、基地局から）受信するために使用され得る。コンポーネントキャリアは、免許不要無線周波数スペクトル帯域中にあり得る。装置８０５は、免許不要無線周波数スペクトル帯域中のコンポーネントキャリアに関連するチャネル状態情報を報告すべきかどうかを決定するために基地局から命令または指示を受信し得る。例えば、命令または指示は、免許不要無線周波数スペクトル帯域中のコンポーネントキャリアに関連するチャネル状態情報ビットを介して与えられ得る。Ａ−ＣＳＩ報告ビット管理モジュール８６０は、免許不要無線周波数スペクトル帯域中のコンポーネントキャリアに関連する非周期チャネル状態情報ビットを受信するために使用され得る。非周期チャネル状態情報ビットは、コンポーネントキャリアのチャネル状態情報を非周期的に送信すべきかどうかを示し得る。非周期チャネル状態情報ビットは、例えば、ｅＮＢのダウンリンクおよび／または制御送信中で与えられ得る。いくつかの例では、非周期チャネル状態情報ビットが、免許不要無線周波数スペクトル帯域中のいくつかのコンポーネントキャリアの各々に与えられ得る。ＤＣＣＡ分析モジュール８３５は、コンポーネントキャリアのためのダウンリンクフレームについてクリアチャネルアセスメントが失敗したかどうかを決定するために使用され得る。コンポーネントキャリア信号測定モジュール８４５は、免許不要無線周波数スペクトル帯域中のコンポーネントキャリアのチャネル状態情報を推定するために少なくとも１つのコンポーネントキャリア上で送信される１つまたは複数の信号を測定するために使用され得る。Ａ−ＣＳＩ報告モジュール８５０は、次いで、免許不要無線周波数スペクトル帯域中のコンポーネントキャリアに関連する非周期チャネル状態情報ビットの状態に従ってチャネル状態情報を非周期的に送信するかまたは送信しないために使用され得る。例えば、Ａ−ＣＳＩ報告モジュール８５０および／またはＡ−ＣＳＩ報告ビット管理モジュール８６０は、非周期チャネル状態情報ビットの状態が論理高（例えば、バイナリ「１」）であるときにチャネル状態情報を送信し、非周期チャネル状態情報の状態が論理低（例えば、バイナリ「０」）であるときにチャネル状態情報を送信しないために使用され得る。
【０１１２】
[0120]  チャネル状態情報の非周期送信はクリアチャネルアセスメントが失敗したかどうかをＵＥが正しく決定することに依存せず、代わりに、チャネル状態情報を送信すべきであるかどうかの（例えば、基地局からの）明示的指示に基づくので、装置８０５の第３の動作モードは１つの点で有用であり得る。これは、コンポーネントキャリアを介して通信している基地局とＵＥとの間により良い整合を与え得る。
【０１１３】
[0121]  装置８０５の第４の動作モードでは、コンポーネントキャリア管理モジュール８４０が、コンポーネントキャリアを介してサービスを（例えば、基地局から）受信するために使用され得る。コンポーネントキャリアは、免許不要無線周波数スペクトル帯域中にあり得る。Ａ−ＣＳＩ命令管理モジュール８６５は、コンポーネントキャリアに関連するチャネル状態情報を報告するときにどの動作モードを使用すべきかに関する命令を受信するために使用され得る。命令は、例えば、基地局のダウンリンクおよび／または制御送信中で与えられ得る。いくつかの例では、命令が、コンポーネントキャリアのためのダウンリンクフレームについてクリアチャネルアセスメントが失敗したと決定されたかどうかにかかわらず、チャネル状態情報を送信すべきこと（またはそれをいつ送信すべきか）を示すか、あるいはコンポーネントキャリアについてクリアチャネルアセスメントが失敗したと決定されたとき、チャネル状態情報の非周期送信を省略すべきこと（またはそれをいつ省略すべきか）を示すか、あるいは基地局によって与えられた命令または指示（例えば、チャネル状態情報ビット）に基づいてチャネル状態情報の非周期送信を行うべきであることまたは行わないべきであることを示し得る。いくつかの例では、コンポーネントキャリアが、第１のコンポーネントキャリアであり得、Ａ−ＣＳＩ命令管理モジュール８６５は、第２のコンポーネントキャリアを介して命令を受信するために使用され得る。ＤＣＣＡ分析モジュール８３５は、コンポーネントキャリアのためのダウンリンクフレームについてクリアチャネルアセスメントが失敗したかどうかを決定するために使用され得る。コンポーネントキャリア信号測定モジュール８４５は、免許不要無線周波数スペクトル帯域中のチャネル状態情報を推定するためにコンポーネントキャリア上で送信される１つまたは複数の信号を測定するために使用され得る。Ａ−ＣＳＩ報告モジュール８５０は、次いで、Ａ−ＣＳＩ命令管理モジュール８６５によって受信された命令に従って、チャネル状態情報を非周期的に送信するかまたは送信しないために使用され得る。
【０１１４】
[0122]  チャネル状態情報の非周期送信が構成可能であるので、装置８０５の第４の動作モードは１つの点で有用であり得る。例えば、チャネル状態情報を非周期的に送信するかまたは送信しないための方法は、免許不要無線周波数スペクトル帯域中のコンポーネントキャリアのためのダウンリンクフレームについてクリアチャネルアセスメントが失敗したとＵＥが決定するとき、チャネル状態情報を受信したいまたは受信したくない基地局によって決定され得る。
【０１１５】
[0123]  いくつかの例では、Ｐ−ＣＳＩ報告モジュール８７０が、（例えば、基地局に）チャネル状態情報を周期的に送信するために使用され得る。例えば、装置８０５の第５の動作モードでは、コンポーネントキャリア管理モジュール８４０が、コンポーネントキャリアを介してサービスを（例えば、基地局から）受信するために使用され得る。コンポーネントキャリアは、免許不要無線周波数スペクトル帯域中にあり得る。ＤＣＣＡ分析モジュール８３５は、コンポーネントキャリアのためのダウンリンクフレームについてクリアチャネルアセスメントが失敗したかどうかを決定するために使用され得る。コンポーネントキャリア信号測定モジュール８４５は、免許不要無線周波数スペクトル帯域中のコンポーネントキャリアのチャネル状態情報を推定するためにコンポーネントキャリア上で送信される１つまたは複数の信号を測定するために使用され得る。一例では、免許不要無線周波数スペクトル帯域中のコンポーネントキャリアへのアクセスを求めて競合するクリアチャネルアセスメントがダウンリンクフレームについて失敗すると、Ｐ−ＣＳＩ報告モジュール８７０および／またはＰ−ＣＳＩ半静的構成モジュール８７５は、古いチャネル状態情報（例えば、免許不要無線周波数スペクトル帯域中のコンポーネントキャリアへのアクセスを獲得する前の成功したクリアチャネルアセスメントに関連するチャネル状態情報）を周期的に報告するために使用され得る。Ｐ−ＣＳＩ報告モジュール８７０および／またはＰ−ＣＳＩ半静的構成モジュール８７５は、次いで、ダウンリンクフレームについて免許不要無線周波数スペクトル帯域中のコンポーネントキャリアにアクセスするのにクリアチャネルアセスメントが失敗したかどうかにかかわらず、チャネル状態情報を周期的に送信するために使用され得る。
【０１１６】
[0124]  チャネル状態情報の周期送信はクリアチャネルアセスメントが失敗したかどうかをＵＥが正しく決定することに依存しないので、装置８０５の第５の動作モードは１つの点で有用であり得る。これは、コンポーネントキャリアを介して通信している基地局とＵＥとの間により良い整合を与え得る。
【０１１７】
[0125]  装置８０５の第６の動作モードでは、コンポーネントキャリア管理モジュール８４０が、コンポーネントキャリアを介してサービスを（例えば、基地局から）受信するために使用され得る。ＤＣＣＡ分析モジュール８３５は、コンポーネントキャリアのためのダウンリンクフレームについてクリアチャネルアセスメントが失敗したかどうかを決定するために使用され得る。コンポーネントキャリアのためのダウンリンクフレームについてクリアチャネルアセスメントが成功したと決定すると、コンポーネントキャリア信号測定モジュール８４５は、免許不要無線周波数スペクトル帯域中のコンポーネントキャリアのチャネル状態情報を推定するためにコンポーネントキャリア上で送信される１つまたは複数の現在の信号を測定し得る。コンポーネントキャリアのためのダウンリンクフレームについてクリアチャネルアセスメントが失敗したと決定すると、コンポーネントキャリア信号測定モジュール８４５は、１）免許不要無線周波数スペクトル帯域中のコンポーネントキャリアのチャネル状態情報を推定するためにコンポーネントキャリア上で送信された１つまたは複数の履歴信号についての測定値を取り出すこと、または２）チャネル状態情報を推定するために免許無線周波数スペクトル帯域中の少なくとも１つのコンポーネントキャリア上で送信される１つまたは複数の現在の信号を測定することを行うために使用され得る。Ｐ−ＣＳＩ報告モジュール８７０および／または半静的構成モジュール８７５は、次いで、例えば、図５に参照して説明されたように、デフォルトの報告ルールに従って、チャネル状態情報を周期的に送信するかまたは送信しないために使用され得る。
【０１１８】
[0126]  チャネル状態情報の周期送信はクリアチャネルアセスメントが失敗したかどうかをＵＥが正しく決定することに依存しないので、装置８０５の第６の動作モードは１つの点で有用であり得る。しかしながら、Ｐ−ＣＳＩ報告モジュール８７０および／またはＰ−ＣＳＩ半静的構成モジュール８７５によって送信されたチャネル状態情報を受信する基地局は、それがＵＥからどのタイプのチャネル状態情報を受信するのかをブラインド検出する必要があり得る。基地局がＵＥからどのタイプのチャネル状態情報を受信するのかをそれが検出できない場合、基地局は、チャネル状態情報を破棄しなければならないことがある。
【０１１９】
[0127]  装置８０５の第７の動作モードでは、コンポーネントキャリア管理モジュール８４０が、コンポーネントキャリアを介してサービスを（例えば、基地局から）受信するために使用され得る。コンポーネントキャリアは、免許不要無線周波数スペクトル帯域中にあり得る。ＤＣＣＡ分析モジュール８３５は、コンポーネントキャリアのためのダウンリンクフレームについてクリアチャネルアセスメントが失敗したかどうかを決定するために使用され得る。コンポーネントキャリア信号測定モジュール８４５は、免許不要無線周波数スペクトル帯域中のコンポーネントキャリアのチャネル状態情報を推定するためにコンポーネントキャリア上で送信される１つまたは複数の信号を測定するために使用され得る。Ｐ−ＣＳＩ報告モジュール８７０および／またはＰ−ＣＳＩ半静的構成モジュール８７５は、次いで、チャネル状態情報を周期的に送信するために使用され得る。いくつかの例では、チャネル状態情報が、コンポーネントキャリアのためのダウンリンクフレームについてクリアチャネルアセスメントが失敗したかどうかにかかわらず、チャネル状態情報に関連するコンポーネントキャリアを識別するために使用される指示を含み得る。他の例では、チャネル状態情報が、ＤＣＣＡ分析モジュールによって分析されたクリアチャネルアセスメントが失敗したと決定されたとき、チャネル状態情報に関連するコンポーネントキャリアを識別するために使用される指示を含み得る。
【０１２０】
[0128]  いくつかの例では、チャネル状態情報に関連するコンポーネントキャリアを識別するために使用される指示が、チャネル状態情報に関連するコンポーネントキャリアを明示的に識別し得る。
【０１２１】
[0129]  いくつかの例では、チャネル状態情報に関連するコンポーネントキャリアを識別するために使用される指示が、チャネル状態情報に関連するコンポーネントキャリアを暗黙的に識別し得る。例えば、チャネル状態情報に関連するコンポーネントキャリアを識別するために使用される指示は、チャネル状態情報に関連するコンポーネントキャリアに関連するスクランブリングパターン（例えば、スクランブリングコード）を含み得る。１つの特定の例では、スクランブリングパターンが、チャネル状態情報が１次セルに関連付けられるとき、第１のスクランブリングパターンを含み得、スクランブリングパターンは、チャネル状態情報が２次セルに関連付けられるとき、第２のスクランブリングパターンを含み得る。
【０１２２】
[0130]  別の例では、チャネル状態情報に関連するコンポーネントキャリアを識別するために使用される指示が、多重化されたＰＵＣＣＨおよびＰＵＳＣＨ並びに／またはＰＵＣＣＨリソースロケーションのためのレートマッチングを含み得る。例えば、第１のレートマッチングは、チャネル状態情報が１次セルに関連付けられるときに使用され得、第２のレートマッチングは、チャネル状態情報が２次セルに関連付けられるときに使用され得る。
【０１２３】
[0131]  チャネル状態情報が関係するコンポーネントキャリアに関する曖昧さを除去する指示とともにチャネル状態情報が周期的に送信されるので、装置８０５の第７の動作モードは１つの点で有用であり得る。
【０１２４】
[0132]  装置８０５の第８の動作モードでは、コンポーネントキャリア管理モジュール８４０が、コンポーネントキャリアを介してサービスを（例えば、基地局から）受信するために使用され得る。コンポーネントキャリアは、免許不要無線周波数スペクトル帯域中にあり得る。ＤＣＣＡ分析モジュール８３５は、コンポーネントキャリアのためのダウンリンクフレームについてクリアチャネルアセスメントが失敗したかどうかを決定するために使用され得る。コンポーネントキャリア信号測定モジュール８４５は、免許不要無線周波数スペクトル帯域中のコンポーネントキャリアのチャネル状態情報を推定するためにコンポーネントキャリア上で送信される１つまたは複数の信号を測定するために使用され得る。Ｐ−ＣＳＩ条件監視モジュール８８５は、条件が満たされたかどうかを決定するために使用され得る。一例では、条件が、少なくとも２つの交互チャネル状態情報送信に対して同じペイロードサイズを含み得る。同じペイロードサイズは、例えば、コンポーネントキャリアのためのチャネル状態情報送信が、少なくとも１つの他のコンポーネントキャリアのためのチャネル状態情報送信と同じ送信モード並びに同じ数の送信アンテナおよび／または受信アンテナを使用するときに存在し得る。条件が満たされないと決定すると、Ｐ−ＣＳＩ報告モジュール８７０および／またはＰ−ＣＳＩ条件監視モジュール８８５は、例えば、図５に参照して説明されたように、デフォルトの報告ルールに従って、チャネル状態情報を周期的に送信し得る。条件が満たされると決定すると、Ｐ−ＣＳＩ報告モジュール８７０および／またはＰ−ＣＳＩ条件監視モジュール８８５は、チャネル状態情報に関連するコンポーネントキャリアを識別するために使用される指示とともにチャネル状態情報を周期的に送信するために使用され得る。このようにして、装置８０５によって送信されたチャネル状態情報を受信する基地局に対する曖昧さが低減または除去され得る。特に、少なくとも第１のコンポーネントキャリアについてのチャネル状態情報と少なくとも第２のコンポーネントキャリアのためのチャネル状態情報送信とが同じペイロードサイズを有するとき、装置８０５は、チャネル状態情報に関連するコンポーネントキャリアを識別するために使用される指示とともにチャネル状態情報を送信し得る。
【０１２５】
[0133]  チャネル状態情報が関係するコンポーネントキャリアに関する曖昧さを除去する指示とともにチャネル状態情報が周期的に送信され得るので、装置８０５の第８の動作モードは１つの点で有用であり得る。
【０１２６】
[0134]  図９に、本開示の様々な態様による、ワイヤレス通信において使用するためのＵＥ９１５のブロック図９００を示す。ＵＥ９１５は様々な構成を有し得、パーソナルコンピュータ（例えば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどに含まれるか、またはその一部であり得る。ＵＥ９１５は、いくつかの例で、モバイル動作を容易にするために、小型バッテリーなどの内部電源（図示せず）を有し得る。いくつかの例では、ＵＥ９１５が、図１および／または図２を参照して説明されたＵＥ１１５および／または２１５のうちの１つもしくは複数の態様、並びに／あるいは図６、図７、および／または図８を参照して説明された装置６０５、７０５、および／または８０５の態様の一例であり得る。ＵＥ９１５は、図１、図２、図３、図４、図５Ｂ、図６、図７、および／または図８を参照して説明されたＵＥおよび／または装置の特徴および機能のうちの少なくともいくつかを実施するように構成され得る。
【０１２７】
[0135]  ＵＥ９１５は、ＵＥプロセッサモジュール９１０、ＵＥメモリモジュール９２０、（ＵＥトランシーバモジュール９３０によって表される）少なくとも１つのＵＥトランシーバモジュール、（ＵＥアンテナ９４０によって表される）少なくとも１つのＵＥアンテナ、および／またはＵＥワイヤレス通信管理モジュール９６０を含み得る。これらの構成要素の各々は、１つまたは複数のバス９３５を介して、直接または間接的に互いに通信していることがある。
【０１２８】
[0136]  ＵＥメモリモジュール９２０は、ランダムアクセスメモリ（ＲＡＭ）および／または読取り専用メモリ（ＲＯＭ）を含み得る。ＵＥメモリモジュール９２０は、実行されたとき、ワイヤレス通信および／またはチャネル状態情報報告に関して本明細書で説明される様々な機能をＵＥプロセッサモジュール９１０に行わせるように構成された命令を含んでいるコンピュータ可読、コンピュータ実行可能コード９２５を記憶し得る。代替的に、コード９２５は、ＵＥプロセッサモジュール９１０によって直接実行可能でないことがあるが、（例えば、コンパイルされ実行されると）ＵＥ９１５に本明細書で説明される様々な機能を行わせるように構成され得る。
【０１２９】
[0137]  ＵＥプロセッサモジュール９１０は、インテリジェントハードウェアデバイス、例えば、ＣＰＵ、マイクロコントローラ、ＡＳＩＣなどを含み得る。ＵＥプロセッサモジュール９１０は、ＵＥトランシーバモジュール９３０を通じて受信された情報、および／またはＵＥアンテナ９４０を通じた送信のためにＵＥトランシーバモジュール９３０に送られるべき情報を処理し得る。ＵＥプロセッサモジュール９１０は、単独でまたはＵＥワイヤレス通信管理モジュール９６０とともに、第１の無線周波数スペクトル帯域（例えば、ＬＴＥ／ＬＴＥ−Ａ通信のために使用可能な免許無線周波数スペクトル帯域など、無線周波数スペクトル帯域は特定の使用のために特定のユーザにライセンスが与えられるので、装置がアクセスを求めて競合しない無線周波数スペクトル帯域）および／または第２の無線周波数スペクトル帯域（例えば、Ｗｉ−Ｆｉ無線周波数スペクトル帯域および／またはＬＴＥ／ＬＴＥ−Ａ通信のために使用可能な別の免許不要無線周波数スペクトル帯域など、無線周波数スペクトル帯域が、免許不要使用のために利用可能であるので、装置がアクセスを求めて競合する必要があり得る無線周波数スペクトル帯域）を介して通信すること（またはそれを介した通信を管理すること）の様々な態様を扱い得る。
【０１３０】
[0138]  ＵＥトランシーバモジュール９３０は、パケットを変調し、変調されたパケットを送信のためにＵＥアンテナ９４０に与え、ＵＥアンテナ９４０から受信されたパケットを復調するように構成されたモデムを含み得る。ＵＥトランシーバモジュール９３０は、いくつかの例で、１つまたは複数のＵＥ送信機モジュールおよび１つまたは複数の別個のＵＥ受信機モジュールとして実施され得る。ＵＥトランシーバモジュール９３０は、第１の無線周波数スペクトル帯域および／または第２の無線周波数スペクトル帯域における通信をサポートし得る。ＵＥトランシーバモジュール９３０は、図１および／または図２を参照して説明された基地局１０５および／または２０５のうちの１つまたは複数と、ＵＥアンテナ９４０を介して双方向に通信するように構成され得る。ＵＥ９１５は単一のＵＥアンテナを含み得るが、ＵＥ９１５が複数のＵＥアンテナ９４０を含み得る例があり得る。
【０１３１】
[0139]  ＵＥ状態モジュール９５０は、例えば、無線リソース制御（ＲＲＣ）アイドル状態とＲＲＣ接続状態との間のＵＥ９１５の遷移を管理するために使用され得、１つまたは複数のバス９３５を介して、直接または間接的に、ＵＥ９１５の他の構成要素と通信していることがある。ＵＥ状態モジュール９５０またはそれの部分は、プロセッサを含み得、並びに／あるいはＵＥ状態モジュール９５０の機能の一部または全部は、ＵＥプロセッサモジュール９１０によっておよび／またはＵＥプロセッサモジュール９１０に関連して行われ得る。
【０１３２】
[0140]  ＵＥワイヤレス通信管理モジュール９６０は、第１の無線周波数スペクトル帯域および／または第２の無線周波数スペクトル帯域を介したワイヤレス通信並びに／あるいはチャネル状態情報報告に関係する、図１、図２、図３、図４Ａ、図４Ｂ、図５、図６、図７、および／または図８を参照して説明された特徴および／または機能の一部または全部を行うおよび／または制御するように構成され得る。例えば、ＵＥワイヤレス通信管理モジュール９６０は、第１の無線周波数スペクトル帯域および／または第２の無線周波数スペクトル帯域を使用して補助ダウンリンクモード、キャリアアグリゲーションモード、および／またはスタンドアロン動作モードをサポートするように構成され得る。ＵＥワイヤレス通信管理モジュール９６０はまた、非周期チャネル状態情報および／または周期チャネル状態情報の報告をサポートするように構成され得る。ＵＥワイヤレス通信管理モジュール９６０は、第１の無線周波数スペクトル帯域におけるＬＴＥ／ＬＴＥ−Ａ通信を扱うように構成されたＵＥ免許ＬＴＥ／ＬＴＥ−Ａモジュール９６５と、第２の無線周波数スペクトルにおけるＬＴＥ／ＬＴＥ−Ａ通信を扱うように構成された免許不要スペクトルのためのＵＥ  ＬＴＥ／ＬＴＥ−Ａモジュール９７０とを含み得る。ＵＥワイヤレス通信管理モジュール９６０またはそれの部分は、プロセッサを含み得、並びに／あるいはＵＥワイヤレス通信管理モジュール９６０の機能の一部または全部は、ＵＥプロセッサモジュール９１０によっておよび／またはＵＥプロセッサモジュール９１０とともに行われ得る。いくつかの例では、ＵＥワイヤレス通信管理モジュール９６０が、図６、図７および／または図８を参照して説明されたワイヤレス通信管理モジュール６２０、７２０、および／または８２０の一例であり得る。
【０１３３】
[0141]  図１０は、本開示の様々な態様による、ワイヤレス通信のための方法１０００の一例を示すフローチャートである。明快のために、方法１０００は、図１、図２、および／または図９を参照して説明されＵＥ１１５、２１５、および／または９１５のうちの１つまたは複数の態様、並びに／あるいは、図６、図７、および／または図８を参照して説明された装置６０５、７０５、および／または８０５のうちの１つまたは複数の態様を参照して以下で説明される。いくつかの例では、ＵＥおよび／または装置が、以下で説明される機能を行うために基地局および／または装置の機能要素を制御するためのコードの１つまたは複数のセットを実行し得る。
【０１３４】
[0142]  ブロック１００５で、方法１０００は、コンポーネントキャリアを介してサービスを（例えば、基地局から）受信することを含み得る。コンポーネントキャリアは、免許不要無線周波数スペクトル帯域（例えば、Ｗｉ−Ｆｉ無線周波数スペクトル帯域などの無線周波数スペクトル帯域が、免許不要使用のために利用可能であるので、装置がアクセスを求めて競合する必要があり得る無線周波数スペクトル帯域）中にあり得る。いくつかの例では、サービス（あるいは１つまたは複数の他のサービス）が、免許不要無線周波数スペクトル帯域中の１つまたは複数の追加のコンポーネントキャリア、並びに／あるいは免許無線周波数スペクトル帯域（例えば、スペクトル帯域は特定の使用のために特定のユーザにライセンスが与えられるので、装置がアクセスを求めて競合しない無線周波数スペクトル帯域）中の１つまたは複数のコンポーネントキャリアを介して受信され得る。ブロック１００５での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア管理モジュール７３５および／または８４０を使用して行われ得る。
【０１３５】
[0143]  ブロック１０１０で、方法１０００は、免許不要無線周波数スペクトル帯域中のコンポーネントキャリアのチャネル状態情報を推定するためにコンポーネントキャリア上で送信される１つまたは複数の信号を測定することを含み得る。ブロック１０１０での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア信号測定モジュール７４０および／または８４５を使用して行われ得る。
【０１３６】
[0144]  従って、方法１０００はワイヤレス通信を提供し得る。方法１０００は一実施形態にすぎず、方法１０００の動作は、他の実施形態が可能であるように再構成され、または別の方法で修正され得ることに留意されたい。
【０１３７】
[0145]  図１１は、本開示の様々な態様による、ワイヤレス通信のための方法１１００の一例を示すフローチャートである。明快のために、方法１１００は、図１、図２、および／または図９を参照して説明されたＵＥ１１５、２１５、および／または９１５のうちの１つまたは複数の態様、並びに／あるいは、図６、図７、および／または図８を参照して説明された装置６０５、７０５、および／または８０５のうちの１つまたは複数の態様を参照して以下で説明される。いくつかの例では、ＵＥおよび／または装置が、以下で説明される機能を行うために基地局および／または装置の機能要素を制御するためのコードの１つまたは複数のセットを実行し得る。
【０１３８】
[0146]  ブロック１１０５で、方法１１００は、コンポーネントキャリアを介してサービスを（例えば、基地局から）受信することを含み得る。コンポーネントキャリアは、免許不要無線周波数スペクトル帯域（例えば、Ｗｉ−Ｆｉ無線周波数スペクトル帯域などの無線周波数スペクトル帯域が、免許不要使用のために利用可能であるので、装置がアクセスを求めて競合する必要があり得る無線周波数スペクトル帯域）中にあり得る。いくつかの例では、サービス（あるいは１つまたは複数の他のサービス）が、免許不要無線周波数スペクトル帯域中の１つまたは複数の追加のコンポーネントキャリア、並びに／あるいは免許無線周波数スペクトル帯域（例えば、スペクトル帯域は特定の使用のために特定のユーザにライセンスが与えられるので、装置がアクセスを求めて競合しない無線周波数スペクトル帯域）中の１つまたは複数のコンポーネントキャリアを介して受信され得る。ブロック１１０５での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア管理モジュール７３５および／または８４０を使用して行われ得る。
【０１３９】
[0147]  ブロック１１１０で、方法１１００は、コンポーネントキャリアのためのフレームについてクリアチャネルアセスメントが失敗したかどうかを決定することを含み得る。コンポーネントキャリアのためのフレームは、ダウンリンクフレームまたはアップリンクフレームであり得る。いくつかの例では、クリアチャネルアセスメントが失敗したかどうかを決定することが、チャネル使用ビーコン信号、チャネル状態情報報告のための基準信号、および／またはフレームについて受信された他の情報（そのいずれかまたは全ては、免許不要無線周波数スペクトル帯域中のコンポーネントキャリアを介して基地局から受信され得る）に少なくとも部分的に基づき得る。ブロック１１１０での動作は、図６、図７、図８、および／または図９を参照して説明されたワイヤレス通信管理モジュール６２０、７２０、８２０、および／または９６０、並びに／あるいは図８を参照して説明されたＤＣＣＡ分析モジュール８３５を使用して行われ得る。
【０１４０】
[0148]  コンポーネントキャリアのためのフレームについてクリアチャネルアセスメントが成功したと決定すると、ブロック１１１５で、方法１１００は、免許不要無線周波数スペクトル帯域中のコンポーネントキャリアのチャネル状態情報を推定するためにコンポーネントキャリア上で送信される１つまたは複数の信号を測定することを含み得る。いくつかの例では、ブロック１１１５での動作が、ブロック１１１０での動作の前に行われ得る。ブロック１１１０での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア信号測定モジュール７４０および／または８４５を使用して行われ得る。
【０１４１】
[0149]  ブロック１１２０で、方法１１００は、例えば、図５に参照して説明されたように、デフォルトの報告ルールに従って、チャネル状態情報を非周期的に送信するかまたは送信しないことを含み得る。ブロック１１２０での動作は、図６、図７、図８、および／または図９を参照して説明されたワイヤレス通信管理モジュール６２０、７２０、８２０、および／または９６０、並びに／あるいは図８を参照して説明されたＡ−ＣＳＩ報告モジュール８５０を使用して行われ得る。
【０１４２】
[0150]  少なくとも１つのコンポーネントキャリアのためのフレームについてクリアチャネルアセスメントが失敗したと決定すると、ブロック１１２５で、方法１１００は、１）免許不要無線周波数スペクトル帯域中のコンポーネントキャリアのチャネル状態情報を推定するためにコンポーネントキャリア上で送信される１つまたは複数の履歴信号についての測定値を取り出すこと（例えば、チャネル状態情報を推定するためにコンポーネントキャリアに関連する１つまたは複数の履歴信号の測定に基づいて測定値を取り出すこと）、または２）免許不要無線周波数スペクトル帯域中のコンポーネントキャリアのチャネル状態情報を推定するためにコンポーネントキャリア上で送信される１つまたは複数の現在の信号を測定することを含み得る。いくつかの例では、ブロック１１２５での動作が、ブロック１１１０での動作の前に行われ得る。ブロック１１２５での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア信号測定モジュール７４０および／または８４５を使用して行われ得る。
【０１４３】
[0151]  ブロック１１３０で、方法１１００は、コンポーネントキャリアのチャネル状態情報を非周期的に送信することを含み得る。ブロック１１３０での動作は、図６、図７、図８、および／または図９を参照して説明されたワイヤレス通信管理モジュール６２０、７２０、８２０、および／または９６０、並びに／あるいは図８を参照して説明されたＡ−ＣＳＩ報告モジュール８５０および／またはＡ−ＣＳＩ半静的構成モジュール８５５を使用して行われ得る。
【０１４４】
[0152]  チャネル状態情報の非周期送信はクリアチャネルアセスメントが失敗したかどうかをＵＥが正しく決定することに依存しないので、方法１１００は１つの点で有用であり得る。これは、コンポーネントキャリアを介して通信している基地局とＵＥとの間により良い整合を与え得るが、特に、免許不要無線周波数スペクトル帯域中のコンポーネントキャリアのためのサービングセルがクリアチャネルアセスメントを失敗する確率が高いとき、より高いオーバーヘッドが犠牲になる。いくつかの例では、ブロック１１３０で送信されたチャネル状態情報を受信する基地局が、有用でないチャネル状態情報を（例えば、それが実際に失敗したクリアチャネルアセスメントに対応するので）破棄し得る。
【０１４５】
[0153]  従って、方法１１００はワイヤレス通信を提供し得る。方法１１００は一実施形態にすぎず、方法１１００の動作は、他の実施形態が可能であるように再構成され、または別の方法で修正され得ることに留意されたい。
【０１４６】
[0154]  図１２は、本開示の様々な態様による、ワイヤレス通信のための方法１２００の一例を示すフローチャートである。明快のために、方法１２００は、図１、図２、および／または図９を参照して説明されたＵＥ１１５、２１５、および／または９１５のうちの１つまたは複数の態様、並びに／あるいは、図６、図７、および／または図８を参照して説明された装置６０５、７０５、および／または８０５のうちの１つまたは複数の態様を参照して以下で説明される。いくつかの例では、ＵＥおよび／または装置が、以下で説明される機能を行うために基地局および／または装置の機能要素を制御するためのコードの１つまたは複数のセットを実行し得る。
【０１４７】
[0155]  ブロック１２０５で、方法１２００は、コンポーネントキャリアを介してサービスを（例えば、基地局から）受信することを含み得る。コンポーネントキャリアは、免許不要無線周波数スペクトル帯域（例えば、Ｗｉ−Ｆｉ無線周波数スペクトル帯域などの無線周波数スペクトル帯域が、免許不要使用のために利用可能であるので、装置がアクセスを求めて競合する必要があり得る無線周波数スペクトル帯域）中にあり得る。いくつかの例では、サービス（あるいは１つまたは複数の他のサービス）が、免許不要無線周波数スペクトル帯域中の１つまたは複数の追加のコンポーネントキャリア、並びに／あるいは免許無線周波数スペクトル帯域（例えば、スペクトル帯域は特定の使用のために特定のユーザにライセンスが与えられるので、装置がアクセスを求めて競合しない無線周波数スペクトル帯域）中の１つまたは複数のコンポーネントキャリアを介して受信され得る。ブロック１２０５での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア管理モジュール７３５および／または８４０を使用して行われ得る。
【０１４８】
[0156]  ブロック１２１０で、方法１２００は、コンポーネントキャリアのためのフレームについてクリアチャネルアセスメントが失敗したかどうかを決定することを含み得る。コンポーネントキャリアのためのフレームは、アップリンクフレームまたはダウンリンクフレームであり得る。いくつかの例では、クリアチャネルアセスメントが失敗したかどうかを決定することが、チャネル使用ビーコン信号、チャネル状態情報報告のための基準信号、および／またはフレームについて受信された他の情報（そのいずれかまたは全ては、免許不要無線周波数スペクトル帯域中のコンポーネントキャリアを介して基地局から受信され得る）に少なくとも部分的に基づき得る。ブロック１２１０での動作は、図６、図７、図８、および／または図９を参照して説明されたワイヤレス通信管理モジュール６２０、７２０、８２０、および／または９６０、並びに／あるいは図８を参照して説明されたＤＣＣＡ分析モジュール８３５を使用して行われ得る。
【０１４９】
[0157]  コンポーネントキャリアのためのフレームについてクリアチャネルアセスメントが成功したと決定すると、ブロック１２１５で、方法１２００は、免許不要無線周波数スペクトル帯域中のコンポーネントキャリアのチャネル状態情報を推定するためにコンポーネントキャリア上で送信される１つまたは複数の信号を測定することを含み得る。いくつかの例では、ブロック１２１５での動作が、ブロック１２１０での動作の前に行われ得る。ブロック１２１５での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア信号測定モジュール７４０および／または８４５を使用して行われ得る。
【０１５０】
[0158]  ブロック１２２０で、方法１２００は、例えば、図５に参照して説明されたように、デフォルトの報告ルールに従って、チャネル状態情報を非周期的に送信するかまたは送信しないことを含み得る。ブロック１２２０での動作は、図６、図７、図８、および／または図９を参照して説明されたワイヤレス通信管理モジュール６２０、７２０、８２０、および／または９６０、並びに／あるいは図８を参照して説明されたＡ−ＣＳＩ報告モジュール８５０を使用して行われ得る。
【０１５１】
[0159]  少なくとも１つのコンポーネントキャリアのためのフレームについてクリアチャネルアセスメントが失敗したと決定すると、ブロック１２２５で、方法１２００は、１）免許不要無線周波数スペクトル帯域中のコンポーネントキャリアのチャネル状態情報を推定するためにコンポーネントキャリア上で送信される１つまたは複数の履歴信号についての測定値を取り出すこと（例えば、チャネル状態情報を推定するためにコンポーネントキャリアに関連する１つまたは複数の履歴信号の測定に基づいて測定値を取り出すこと）、または２）免許不要無線周波数スペクトル帯域中のコンポーネントキャリアのチャネル状態情報を推定するためにコンポーネントキャリア上で送信される１つまたは複数の現在の信号を測定することを含み得る。いくつかの例では、ブロック１２２５での動作が、ブロック１２１０での動作の前に行われ得る。ブロック１２２５での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア信号測定モジュール７４０および／または８４５を使用して行われ得る。
【０１５２】
[0160]  ブロック１２３０で、方法１２００は、コンポーネントキャリアのためのフレームの１つまたは複数のサブフレームについてのチャネル状態情報の非周期送信を省略することを含み得る。ブロック１２３０での動作は、図６、図７、図８、および／または図９を参照して説明されたワイヤレス通信管理モジュール６２０、７２０、８２０、および／または９６０、並びに／あるいは図８を参照して説明されたＡ−ＣＳＩ報告モジュール８５０および／またはＡ−ＣＳＩ半静的構成モジュール８５５を使用して行われ得る。
【０１５３】
例えば、[0161]  従って、方法１２００はワイヤレス通信を提供し得る。方法１２００は一実施形態にすぎず、方法１２００の動作は、他の実施形態が可能であるように再構成され、または別の方法で修正され得ることに留意されたい。
【０１５４】
[0162]  図１３は、本開示の様々な態様による、ワイヤレス通信のための方法１３００の一例を示すフローチャートである。明快のために、方法１３００は、図１、図２、および／または図９を参照して説明されたＵＥ１１５、２１５、および／または９１５のうちの１つまたは複数の態様、並びに／あるいは、図６、図７、および／または図８を参照して説明された装置６０５、７０５、および／または８０５のうちの１つまたは複数の態様を参照して以下で説明される。いくつかの例では、ＵＥおよび／または装置が、以下で説明された機能を行うために基地局および／または装置の機能要素を制御するためのコードの１つまたは複数のセットを実行し得る。
【０１５５】
[0163]  ブロック１３０５で、方法１３００は、コンポーネントキャリアを介してサービスを（例えば、基地局から）受信することを含み得る。コンポーネントキャリアは、免許不要無線周波数スペクトル帯域（例えば、Ｗｉ−Ｆｉ無線周波数スペクトル帯域などの無線周波数スペクトル帯域が、免許不要使用のために利用可能であるので、装置がアクセスを求めて競合する必要があり得る無線周波数スペクトル帯域）中にあり得る。いくつかの例では、サービス（あるいは１つまたは複数の他のサービス）が、免許不要無線周波数スペクトル帯域中の１つまたは複数の追加のコンポーネントキャリア、並びに／あるいは免許無線周波数スペクトル帯域（例えば、スペクトル帯域は特定の使用のために特定のユーザにライセンスが与えられるので、装置がアクセスを求めて競合しない無線周波数スペクトル帯域）中の１つまたは複数のコンポーネントキャリアを介して受信され得る。ブロック１３０５での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア管理モジュール７３５および／または８４０を使用して行われ得る。
【０１５６】
[0164]  ブロック１３１０で、方法１３００は、免許不要無線周波数スペクトル帯域中のコンポーネントキャリアに関連する非周期チャネル状態情報ビットを受信することを含み得る。非周期チャネル状態情報ビットは、コンポーネントキャリアのチャネル状態情報を非周期的に送信すべきかどうかを示し得る。非周期チャネル状態情報ビットは、例えば、基地局のダウンリンクおよび／または制御送信中で与えられ得る。いくつかの例では、非周期チャネル状態情報ビットが、免許不要無線周波数スペクトル帯域中のいくつかのコンポーネントキャリアの各々に与えられ得る。ブロック１３１０での動作は、図６、図７、図８、および／または図９を参照して説明されたワイヤレス通信管理モジュール６２０、７２０、８２０、および／または９６０、並びに／あるいは図８を参照して説明されたＡ−ＣＳＩ報告モジュール８５０および／またはＡ−ＣＳＩ報告ビット管理モジュール８６０を使用して行われ得る。
【０１５７】
[0165]  ブロック１３１５で、方法１３００は、コンポーネントキャリアのためのフレームについてクリアチャネルアセスメントが失敗したかどうかを決定することを含み得る。いくつかの例では、クリアチャネルアセスメントが失敗したかどうかを決定することが、チャネル使用ビーコン信号、チャネル状態情報報告のための基準信号、および／またはフレームについて受信された他の情報（そのいずれかまたは全ては、免許不要無線周波数スペクトル帯域中のコンポーネントキャリアを介して基地局から受信され得る）に少なくとも部分的に基づき得る。いくつかの事例では、コンポーネントキャリアのためのフレームが、ダウンリンクフレームであり得る。いくつかの事例では、コンポーネントキャリアのためのフレームが、アップリンクフレームであり得る。ブロック１３１５での動作は、図６、図７、図８、および／または図９を参照して説明されたワイヤレス通信管理モジュール６２０、７２０、８２０、および／または９６０、並びに／あるいは図８を参照して説明されたＤＣＣＡ分析モジュール８３５を使用して行われ得る。
【０１５８】
[0166]  ブロック１３２０で、方法１３００は、免許不要無線周波数スペクトル帯域中のコンポーネントキャリアのチャネル状態情報を推定するためにコンポーネントキャリア上で送信される１つまたは複数の信号を測定することを含み得る。いくつかの例では、ブロック１３２０での動作が、ブロック１３１５での動作の前に行われ得る。ブロック１３２０での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア信号測定モジュール７４０および／または８４５を使用して行われ得る。
【０１５９】
[0167]  ブロック１３２５で、方法１３００は、免許不要無線周波数スペクトル帯域中のコンポーネントキャリアに関連する非周期チャネル状態情報ビットの状態に従ってチャネル状態情報を非周期的に送信するかまたは送信しないことを含み得る。例えば、チャネル状態情報は、非周期チャネル状態情報ビットの状態が論理「１」であるときに送信され、非周期チャネル状態情報ビットの状態が論理「０」であるときに送信されないことがある。ブロック１３２５での動作は、図６、図７、図８、および／または図９を参照して説明されたワイヤレス通信管理モジュール６２０、７２０、８２０、および／または９６０、並びに／あるいは図８を参照して説明されたＡ−ＣＳＩ報告モジュール８５０および／またはＡ−ＣＳＩ報告ビット管理モジュール８６０を使用して行われ得る。
【０１６０】
[0168]  チャネル状態情報の非周期送信はクリアチャネルアセスメントが失敗したかどうかをＵＥが正しく決定することに依存せず、代わりに、チャネル状態情報を送信すべきであるかどうかの（例えば、基地局からの）明示的指示に基づくので、方法１３００は１つの点で有用であり得る。これは、コンポーネントキャリアを介して通信している基地局とＵＥとの間により良い整合を与え得る。
【０１６１】
[0169]  従って、方法１３００はワイヤレス通信を提供し得る。方法１３００は一実施形態にすぎず、方法１３００の動作は、他の実施形態が可能であるように再構成され、または別の方法で修正され得ることに留意されたい。
【０１６２】
[0170]  図１４は、本開示の様々な態様による、ワイヤレス通信のための方法１４００の一例を示すフローチャートである。明快のために、方法１４００は、図１、図２、および／または図９を参照して説明されたＵＥ１１５、２１５、および／または９１５のうちの１つまたは複数の態様、並びに／あるいは、図６、図７、および／または図８を参照して説明された装置６０５、７０５、および／または８０５のうちの１つまたは複数の態様を参照して以下で説明される。いくつかの例では、ＵＥおよび／または装置が、以下で説明された機能を行うために基地局および／または装置の機能要素を制御するためのコードの１つまたは複数のセットを実行し得る。
【０１６３】
[0171]  ブロック１４０５で、方法１４００は、コンポーネントキャリアを介してサービスを（例えば、基地局から）受信することを含み得る。コンポーネントキャリアは、免許不要無線周波数スペクトル帯域（例えば、Ｗｉ−Ｆｉ無線周波数スペクトル帯域などの無線周波数スペクトル帯域が、免許不要使用のために利用可能であるので、装置がアクセスを求めて競合する必要があり得る無線周波数スペクトル帯域）中にあり得る。いくつかの例では、サービス（あるいは１つまたは複数の他のサービス）が、免許不要無線周波数スペクトル帯域中の１つまたは複数の追加のコンポーネントキャリア、並びに／あるいは免許無線周波数スペクトル帯域（例えば、スペクトル帯域は特定の使用のために特定のユーザにライセンスが与えられるので、装置がアクセスを求めて競合しない無線周波数スペクトル帯域）中の１つまたは複数のコンポーネントキャリアを介して受信され得る。ブロック１４０５での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア管理モジュール７３５および／または８４０を使用して行われ得る。
【０１６４】
[0172]  ブロック１４１０で、方法１４００は、コンポーネントキャリアのためのフレーム（例えば、ダウンリンクフレームまたはアップリンクフレーム）の１つまたは複数のサブフレームについてのチャネル状態情報がチャネル状態情報の非周期送信から省略されるべきであるかどうかに関する命令を受信することを含み得る。命令は、例えば、基地局のダウンリンクおよび／または制御送信中で与えられ得る。いくつかの例では、命令が、コンポーネントキャリアのためのフレームについてクリアチャネルアセスメントが失敗したと決定されたかどうかにかかわらず、チャネル状態情報を送信すべきこと（またはそれをいつ送信すべきか）を示すか、あるいはコンポーネントキャリアについてクリアチャネルアセスメントが失敗したと決定されたとき、チャネル状態情報の非周期送信を省略すべきこと（またはそれをいつ省略すべきか）を示し得る。いくつかの例では、コンポーネントキャリアが、第１のコンポーネントキャリアであり得、命令は、第２のコンポーネントキャリアを介して受信され得る。第１のコンポーネントキャリアおよび第２のコンポーネントキャリアは、同じまたは異なる基地局に関連付けられ得る。ブロック１４１０での動作は、図６、図７、図８、および／または図９を参照して説明されたワイヤレス通信管理モジュール６２０、７２０、８２０、および／または９６０、並びに／あるいは図８を参照して説明されたＡ−ＣＳＩ報告モジュール８５０および／またはＡ−ＣＳＩ命令管理モジュール８６５を使用して行われ得る。
【０１６５】
[0173]  ブロック１４１５で、方法１４００は、コンポーネントキャリアのためのフレームについてクリアチャネルアセスメントが失敗したかどうかを決定することを含み得る。いくつかの例では、クリアチャネルアセスメントが失敗したかどうかを決定することが、チャネル使用ビーコン信号、チャネル状態情報報告のための基準信号、および／またはフレームについて受信された他の情報（そのいずれかまたは全ては、免許不要無線周波数スペクトル帯域中のコンポーネントキャリアを介して基地局から受信され得る）に少なくとも部分的に基づき得る。ブロック１４１５での動作は、図６、図７、図８、および／または図９を参照して説明されたワイヤレス通信管理モジュール６２０、７２０、８２０、および／または９６０、並びに／あるいは図８を参照して説明されたＤＣＣＡ分析モジュール８３５を使用して行われ得る。
【０１６６】
[0174]  ブロック１４２０で、方法１４００は、免許不要無線周波数スペクトル帯域中のコンポーネントキャリアのチャネル状態情報を推定するために免許不要無線周波数スペクトル帯域中のコンポーネントキャリア上で送信される１つまたは複数の信号を測定することを含み得る。いくつかの例では、ブロック１４２０での動作が、ブロック１４１５での動作の前に行われ得る。ブロック１４２０での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア信号測定モジュール７４０および／または８４５を使用して行われ得る。
【０１６７】
[0175]  ブロック１４２５で、方法１４００は、例えば、ブロック１４１０で受信された命令に従って、チャネル状態情報を非周期的に送信するかまたは送信しないことを含み得る。ブロック１４２５での動作は、図６、図７、図８、および／または図９を参照して説明されたワイヤレス通信管理モジュール６２０、７２０、８２０、および／または９６０、並びに／あるいは図８を参照して説明されたＡ−ＣＳＩ報告モジュール８５０および／またはＡ−ＣＳＩ命令管理モジュール８６５を使用して行われ得る。
【０１６８】
[0176]  チャネル状態情報の非周期送信が構成可能であるので、１つの点で、方法１４００は有用であり得る。例えば、チャネル状態情報を非周期的に送信するかまたは送信しないための方法は、免許不要無線周波数スペクトル帯域中のコンポーネントキャリアのためのフレームについてクリアチャネルアセスメントが失敗したとＵＥが決定するとき、チャネル状態情報を受信したいまたは受信したくない基地局によって決定され得る。
【０１６９】
[0177]  従って、方法１４００はワイヤレス通信を提供し得る。方法１４００は一実施形態にすぎず、方法１４００の動作は、他の実施形態が可能であるように再構成され、または別の方法で修正され得ることに留意されたい。
【０１７０】
[0178]  図１５は、本開示の様々な態様による、ワイヤレス通信のための方法１５００の一例を示すフローチャートである。明快のために、方法１５００は、図１、図２、および／または図９を参照して説明されたＵＥ１１５、２１５、および／または９１５のうちの１つまたは複数の態様、並びに／あるいは、図６、図７、および／または図８を参照して説明された装置６０５、７０５、および／または８０５のうちの１つまたは複数の態様を参照して以下で説明される。いくつかの例では、ＵＥおよび／または装置が、以下で説明される機能を行うために基地局および／または装置の機能要素を制御するためのコードの１つまたは複数のセットを実行し得る。
【０１７１】
[0179]  ブロック１５０５で、方法１５００は、コンポーネントキャリアを介してサービスを（例えば、基地局から）受信することを含み得る。コンポーネントキャリアは、免許不要無線周波数スペクトル帯域（例えば、Ｗｉ−Ｆｉ無線周波数スペクトル帯域などの無線周波数スペクトル帯域が、免許不要使用のために利用可能であるので、装置がアクセスを求めて競合する必要があり得る無線周波数スペクトル帯域）中にあり得る。いくつかの例では、サービス（あるいは１つまたは複数の他のサービス）が、免許不要無線周波数スペクトル帯域中の１つまたは複数の追加のコンポーネントキャリア、並びに／あるいは免許無線周波数スペクトル帯域（例えば、スペクトル帯域は特定の使用のために特定のユーザにライセンスが与えられるので、装置がアクセスを求めて競合しない無線周波数スペクトル帯域）中の１つまたは複数のコンポーネントキャリアを介して受信され得る。ブロック１５０５での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア管理モジュール７３５および／または８４０を使用して行われ得る。
【０１７２】
[0180]  ブロック１５１０で、方法１５００は、コンポーネントキャリアのためのフレーム（例えば、ダウンリンクフレームまたはアップリンクフレーム）についてクリアチャネルアセスメントが失敗したかどうかを決定することを含み得る。いくつかの例では、クリアチャネルアセスメントが失敗したかどうかを決定することが、チャネル使用ビーコン信号、チャネル状態情報報告のための基準信号、および／またはフレームについて受信された他の情報（そのいずれかまたは全ては、免許不要無線周波数スペクトル帯域中の少なくとも１つのコンポーネントキャリアを介して基地局から受信され得る）に少なくとも部分的に基づき得る。ブロック１５１０での動作は、図６、図７、図８、および／または図９を参照して説明されたワイヤレス通信管理モジュール６２０、７２０、８２０、および／または９６０、並びに／あるいは図８を参照して説明されたＤＣＣＡ分析モジュール８３５を使用して行われ得る。
【０１７３】
[0181]  ブロック１５１５で、方法１５００は、免許不要無線周波数スペクトル帯域中のコンポーネントキャリアのチャネル状態情報を推定するためにコンポーネントキャリア上で送信される１つまたは複数の信号を測定することを含み得る。いくつかの例では、ブロック１５１５での動作が、ブロック１５１０での動作の前に行われ得る。ブロック１５１０での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア信号測定モジュール７４０および／または８４５を使用して行われ得る。
【０１７４】
[0182]  ブロック１５２０で、方法１５００は、コンポーネントキャリアのためのフレームについてクリアチャネルアセスメントが失敗したかどうかにかかわらずチャネル状態情報を周期的に送信することを含み得る。ブロック１５２０での動作は、図６、図７、図８、および／または図９を参照して説明されたワイヤレス通信管理モジュール６２０、７２０、８２０、および／または９６０、並びに／あるいは図８を参照して説明されたＰ−ＣＳＩ報告モジュール８７０および／またはＰ−ＣＳＩ半静的構成モジュール８７５を使用して行われ得る。
【０１７５】
[0183]  チャネル状態情報の周期送信はクリアチャネルアセスメントが失敗したかどうかをＵＥが正しく決定することに依存しないので、方法１５００は１つの点で有用であり得る。これは、コンポーネントキャリアを介して通信している基地局とＵＥとの間により良い整合を与え得る。
【０１７６】
[0184]  従って、方法１５００はワイヤレス通信を提供し得る。方法１５００は一実施形態にすぎず、方法１５００の動作は、他の実施形態が可能であるように再構成され、または別の方法で修正され得ることに留意されたい。
【０１７７】
[0185]  図１６は、本開示の様々な態様による、ワイヤレス通信のための方法１６００の一例を示すフローチャートである。明快のために、方法１６００は、図１、図２、および／または図９を参照して説明されたＵＥ１１５、２１５、および／または９１５のうちの１つまたは複数の態様、並びに／あるいは、図６、図７、および／または図８を参照して説明された装置６０５、７０５、および／または８０５のうちの１つまたは複数の態様を参照して以下で説明される。いくつかの例では、ＵＥおよび／または装置が、以下で説明される機能を行うために基地局および／または装置の機能要素を制御するためのコードの１つまたは複数のセットを実行し得る。
【０１７８】
[0186]  ブロック１６０５で、方法１６００は、コンポーネントキャリアを介してサービスを（例えば、基地局から）受信することを含み得る。コンポーネントキャリアは、免許不要無線周波数スペクトル帯域（例えば、Ｗｉ−Ｆｉ無線周波数スペクトル帯域などの無線周波数スペクトル帯域が、免許不要使用のために利用可能であるので、装置がアクセスを求めて競合する必要があり得る無線周波数スペクトル帯域）中にあり得る。いくつかの例では、サービス（あるいは１つまたは複数の他のサービス）が、免許不要無線周波数スペクトル帯域中の１つまたは複数の追加のコンポーネントキャリア、並びに／あるいは免許無線周波数スペクトル帯域（例えば、スペクトル帯域は特定の使用のために特定のユーザにライセンスが与えられるので、装置がアクセスを求めて競合しない無線周波数スペクトル帯域）中の１つまたは複数のコンポーネントキャリアを介して受信され得る。ブロック１６０５での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア管理モジュール７３５および／または８４０を使用して行われ得る。
【０１７９】
[0187]  ブロック１６１０で、方法１６００は、コンポーネントキャリアのためのフレームについてクリアチャネルアセスメントが失敗したかどうかを決定することを含み得る。フレームは、アップリンクフレームまたはダウンリンクフレームであり得る。いくつかの例では、クリアチャネルアセスメントが失敗したかどうかを決定することが、チャネル使用ビーコン信号、チャネル状態情報報告のための基準信号、および／またはフレームについて受信された他の情報（そのいずれかまたは全ては、免許不要無線周波数スペクトル帯域中のコンポーネントキャリアを介して基地局から受信され得る）に少なくとも部分的に基づき得る。ブロック１６１０での動作は、図６、図７、図８、および／または図９を参照して説明されたワイヤレス通信管理モジュール６２０、７２０、８２０、および／または９６０、並びに／あるいは図８を参照して説明されたＤＣＣＡ分析モジュール８３５を使用して行われ得る。
【０１８０】
[0188]  コンポーネントキャリアのためのフレームについてクリアチャネルアセスメントが成功したと決定すると、ブロック１６１５で、方法１６００は、免許不要無線周波数スペクトル帯域中のチャネル状態情報を推定するためにコンポーネントキャリア上で送信される１つまたは複数の現在の信号を測定すること（例えば、ブロック１６１０で決定が行われたフレームに関連する１つまたは複数の信号を測定すること）を含み得る。ブロック１６１５での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア信号測定モジュール７４０および／または８４５を使用して行われ得る。
【０１８１】
[0189]  コンポーネントキャリアのためのフレームについてクリアチャネルアセスメントが失敗したと決定すると、ブロック１６２０で、方法１６００は、１）免許不要無線周波数スペクトル帯域中のコンポーネントキャリアのチャネル状態情報を推定するためにコンポーネントキャリア上で送信される１つまたは複数の履歴信号についての測定値を取り出すこと（例えば、チャネル状態情報を推定するためにコンポーネントキャリアに関連する１つまたは複数の履歴信号の測定に基づいて測定値を取り出すこと）、または２）免許不要無線周波数スペクトル帯域中のコンポーネントキャリアのチャネル状態情報を推定するためにコンポーネントキャリアに関連する１つまたは複数の現在の信号を測定することを含み得る。いくつかの例では、ブロック１１２５での動作が、ブロック１１１０での動作の前に行われ得る。ブロック１１２５での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア信号測定モジュール７４０および／または８４５を使用して行われ得る。
【０１８２】
[0190]  ブロック１６２５で、方法１６００は、例えば、図５に参照して説明されたように、デフォルトの報告ルールに従って、チャネル状態情報を周期的に送信するかまたは送信しないことを含み得る。ブロック１６２５での動作は、図６、図７、図８、および／または図９を参照して説明されたワイヤレス通信管理モジュール６２０、７２０、８２０、および／または９６０、並びに／あるいは図８を参照して説明されたＰ−ＣＳＩ報告モジュール８７０を使用して行われ得る。
【０１８３】
[0191]  チャネル状態情報の周期送信はクリアチャネルアセスメントが失敗したかどうかをＵＥが正しく決定することに依存しないので、方法１６００は１つの点で有用であり得る。しかしながら、ブロック１６２５で送信されたチャネル状態情報を受信する基地局は、それがＵＥからどのタイプのチャネル状態情報を受信するのかをブラインド検出する必要があり得る。基地局がＵＥからどのタイプのチャネル状態情報を受信するのかをそれが検出できない場合、基地局は、チャネル状態情報を破棄しなければならないことがある。
【０１８４】
[0192]  従って、方法１６００はワイヤレス通信を提供し得る。方法１６００は一実施形態にすぎず、方法１６００の動作は、他の実施形態が可能であるように再構成され、または別の方法で修正され得ることに留意されたい。
【０１８５】
[0193]  図１７は、本開示の様々な態様による、ワイヤレス通信のための方法１７００の一例を示すフローチャートである。明快のために、方法１７００は、図１、図２、および／または図９を参照して説明されたＵＥ１１５、２１５、および／または９１５のうちの１つまたは複数の態様、並びに／あるいは、図６、図７、および／または図８を参照して説明された装置６０５、７０５、および／または８０５のうちの１つまたは複数の態様を参照して以下で説明される。いくつかの例では、ＵＥおよび／または装置が、以下で説明される機能を行うために基地局および／または装置の機能要素を制御するためのコードの１つまたは複数のセットを実行し得る。
【０１８６】
[0194]  ブロック１７０５で、方法１７００は、コンポーネントキャリアを介してサービスを（例えば、基地局から）受信することを含み得る。コンポーネントキャリアは、免許不要無線周波数スペクトル帯域（例えば、Ｗｉ−Ｆｉ無線周波数スペクトル帯域などの無線周波数スペクトル帯域が、免許不要使用のために利用可能であるので、装置がアクセスを求めて競合する必要があり得る無線周波数スペクトル帯域）中にあり得る。いくつかの例では、サービス（あるいは１つまたは複数の他のサービス）が、免許不要無線周波数スペクトル帯域中の１つまたは複数の追加のコンポーネントキャリア、並びに／あるいは免許無線周波数スペクトル帯域（例えば、スペクトル帯域は特定の使用のために特定のユーザにライセンスが与えられるので、装置がアクセスを求めて競合しない無線周波数スペクトル帯域）中の１つまたは複数のコンポーネントキャリアを介して受信され得る。ブロック１７０５での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア管理モジュール７３５および／または８４０を使用して行われ得る。
【０１８７】
[0195]  ブロック１７１０で、方法１７００は、コンポーネントキャリアのためのフレームについてクリアチャネルアセスメントが失敗したかどうかを決定することを含み得る。いくつかの例では、クリアチャネルアセスメントが失敗したかどうかを決定することが、チャネル使用ビーコン信号、チャネル状態情報報告のための基準信号、および／またはフレームについて受信された他の情報（そのいずれかまたは全ては、免許不要無線周波数スペクトル帯域中のコンポーネントキャリアを介して基地局から受信され得る）に少なくとも部分的に基づき得る。いくつかの例では、コンポーネントキャリアのためのフレームが、ダウンリンクフレームまたはアップリンクフレームであり得る。ブロック１７１０での動作は、図６、図７、図８、および／または図９を参照して説明されたワイヤレス通信管理モジュール６２０、７２０、８２０、および／または９６０、並びに／あるいは図８を参照して説明されたＤＣＣＡ分析モジュール８３５を使用して行われ得る。
【０１８８】
[0196]  ブロック１７１５で、方法１７００は、免許不要無線周波数スペクトル帯域中のコンポーネントキャリアのチャネル状態情報を推定するためにコンポーネントキャリア上で送信される１つまたは複数の信号を測定することを含み得る。いくつかの例では、ブロック１７１５での動作が、ブロック１７１０での動作の前に行われ得る。ブロック１７１０での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア信号測定モジュール７４０および／または８４５を使用して行われ得る。
【０１８９】
[0197]  ブロック１７２０で、方法１７００は、チャネル状態情報を周期的に送信することを含み得る。いくつかの例では、チャネル状態情報が、コンポーネントキャリアのためのフレームについてクリアチャネルアセスメントが失敗したかどうかにかかわらず、チャネル状態情報に関連するコンポーネントキャリアを識別するために使用される指示を含み得る。他の例では、チャネル状態情報が、ブロック１７１０で行われたクリアチャネルアセスメントが失敗したと決定されたとき、チャネル状態情報に関連するコンポーネントキャリアを識別するために使用される指示を含み得る。
【０１９０】
[0198]  いくつかの例では、チャネル状態情報に関連するコンポーネントキャリアを識別するために使用される指示が、チャネル状態情報に関連するコンポーネントキャリアを明示的に識別し得る。
【０１９１】
[0199]  いくつかの例では、チャネル状態情報に関連するコンポーネントキャリアを識別するために使用される指示が、チャネル状態情報に関連するコンポーネントキャリアを暗黙的に識別し得る。例えば、チャネル状態情報に関連するコンポーネントキャリアを識別するために使用される指示は、チャネル状態情報に関連するコンポーネントキャリアに関連するスクランブリングパターン（例えば、スクランブリングコード）を含み得る。１つの特定の例では、スクランブリングパターンが、チャネル状態情報が１次セルに関連付けられるとき、第１のスクランブリングパターンを含み得、スクランブリングパターンは、チャネル状態情報が２次セルに関連付けられるとき、第２のスクランブリングパターンを含み得る。
【０１９２】
[0200]  別の例では、チャネル状態情報に関連するコンポーネントキャリアを識別するために使用される指示が、多重化されたＰＵＣＣＨおよびＰＵＳＣＨ並びに／またはＰＵＣＣＨリソースロケーションのためのレートマッチングを含み得る。例えば、第１のレートマッチングは、チャネル状態情報が１次セルに関連付けられるときに使用され得、第２のレートマッチングは、チャネル状態情報が２次セルに関連付けられるときに使用され得る。
【０１９３】
[0201]  ブロック１７２０での動作は、図６、図７、図８、および／または図９を参照して説明されたワイヤレス通信管理モジュール６２０、７２０、８２０、および／または９６０、並びに／あるいは図８を参照して説明されたＰ−ＣＳＩ報告モジュール８７０および／またはＰ−ＣＳＩコンポーネントキャリア指示モジュール８８０を使用して行われ得る。
【０１９４】
[0202]  チャネル状態情報が関係するコンポーネントキャリアに関する曖昧さを除去する指示とともにチャネル状態情報が周期的に送信されるので、方法１７００は１つの点で有用であり得る。
【０１９５】
[0203]  従って、方法１７００はワイヤレス通信を提供し得る。方法１７００は一実施形態にすぎず、方法１７００の動作は、他の実施形態が可能であるように再構成され、または別の方法で修正され得ることに留意されたい。
【０１９６】
[0204]  図１８は、本開示の様々な態様による、ワイヤレス通信のための方法１８００の例を示すフローチャートである。明快のために、方法１８００は、図１、図２、および／または図９を参照して説明されたＵＥ１１５、２１５、および／または９１５のうちの１つまたは複数の態様、並びに／あるいは、図６、図７、および／または図８を参照して説明された装置６０５、７０５、および／または８０５のうちの１つまたは複数の態様を参照して以下で説明される。いくつかの例では、ＵＥおよび／または装置が、以下で説明される機能を行うために基地局および／または装置の機能要素を制御するためのコードの１つまたは複数のセットを実行し得る。
【０１９７】
[0205]  ブロック１８０５で、方法１８００は、コンポーネントキャリアを介してサービスを（例えば、基地局から）受信することを含み得る。コンポーネントキャリアは、免許不要無線周波数スペクトル帯域（例えば、Ｗｉ−Ｆｉ無線周波数スペクトル帯域などの無線周波数スペクトル帯域が、免許不要使用のために利用可能であるので、装置がアクセスを求めて競合する必要があり得る無線周波数スペクトル帯域）中にあり得る。いくつかの例では、サービス（あるいは１つまたは複数の他のサービス）が、免許不要無線周波数スペクトル帯域中の１つまたは複数の追加のコンポーネントキャリア、並びに／あるいは免許無線周波数スペクトル帯域（例えば、スペクトル帯域は特定の使用のために特定のユーザにライセンスが与えられるので、装置がアクセスを求めて競合しない無線周波数スペクトル帯域）中の１つまたは複数のコンポーネントキャリアを介して受信され得る。ブロック１８０５での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア管理モジュール７３５および／または８４０を使用して行われ得る。
【０１９８】
[0206]  ブロック１８１０で、方法１８００は、コンポーネントキャリアのためのフレームについてクリアチャネルアセスメントが失敗したかどうかを決定することを含み得る。いくつかの例では、クリアチャネルアセスメントが失敗したかどうかを決定することが、チャネル使用ビーコン信号、チャネル状態情報報告のための基準信号、および／またはフレームについて受信された他の情報（そのいずれかまたは全ては、免許不要無線周波数スペクトル帯域中のコンポーネントキャリアを介して基地局から受信され得る）に少なくとも部分的に基づき得る。いくつかの例では、コンポーネントキャリアのためのフレームが、ダウンリンクフレームであり得る。他の例では、コンポーネントキャリアのためのフレームが、アップリンクフレームであり得る。ブロック１８１０での動作は、図６、図７、図８、および／または図９を参照して説明されたワイヤレス通信管理モジュール６２０、７２０、８２０、および／または９６０、並びに／あるいは図８を参照して説明されたＤＣＣＡ分析モジュール８３５を使用して行われ得る。
【０１９９】
[0207]  ブロック１８１５で、方法１８００は、免許不要無線周波数スペクトル帯域中のコンポーネントキャリアのチャネル状態情報を推定するためにコンポーネントキャリア上で送信される１つまたは複数の信号を測定することを含み得る。いくつかの例では、ブロック１８１５での動作が、ブロック１８１０での動作の前に行われ得る。ブロック１８１０での動作は、図６、図７、図８、および／または図９を参照して説明されたワイヤレス通信管理モジュール６２０、７２０、８２０、および／または９６０、並びに／あるいは図７および／または図８を参照して説明されたコンポーネントキャリア信号測定モジュール７４０および／または８４５を使用して行われ得る。
【０２００】
[0208]  ブロック１８２０で、方法１８００は、条件が満たされたかどうかを決定することを含み得る。一例では、条件が、少なくとも２つの交互チャネル状態情報送信に対して同じペイロードサイズを含み得る。同じペイロードサイズは、例えば、コンポーネントキャリアのためのチャネル状態情報送信が、少なくとも１つの他のコンポーネントキャリアのためのチャネル状態情報送信と同じ送信モード並びに同じ数の送信アンテナおよび／または受信アンテナを使用するときに存在し得る。ブロック１８２０での動作は、図６、図７、図８、および／または図９を参照して説明されたワイヤレス通信管理モジュール６２０、７２０、８２０、および／または９６０、並びに／あるいは図８を参照して説明されたＰ−ＣＳＩ条件監視モジュール８８５を使用して行われ得る。
【０２０１】
[0209]  条件が満たされないと決定すると、ブロック１８２５で、方法１８００は、例えば、図５に参照して説明されたように、デフォルトの報告ルールに従って、チャネル状態情報を周期的に送信することを含み得る。ブロック１８２５での動作は、図６、図７、図８、および／または図９を参照して説明されたワイヤレス通信管理モジュール６２０、７２０、８２０、および／または９６０、並びに／あるいは図８を参照して説明されたＰ−ＣＳＩ報告モジュール８７０および／またはＰ−ＣＳＩ条件監視モジュール８８５を使用して行われ得る。
【０２０２】
[0210]  条件が満たされると決定すると、ブロック１８３０で、方法１８００は、チャネル状態情報に関連するコンポーネントキャリアを識別するために使用される指示とともにチャネル状態情報を周期的に送信することを含み得る。ブロック１８３０での動作は、図６、図７、図８、および／または図９を参照して説明されたワイヤレス通信管理モジュール６２０、７２０、８２０、および／または９６０、並びに／あるいは図８を参照して説明されたＰ−ＣＳＩ報告モジュール８７０および／またはＰ−ＣＳＩ条件監視モジュール８８５を使用して行われ得る。
【０２０３】
[0211]  ブロック１８２０、ブロック１８２５、および／またはブロック１８３０での動作は、方法１８００に従って送信されたチャネル状態情報を受信する基地局に対する曖昧さを低減するかまたは除去するために使用され得る。特に、少なくとも第１のコンポーネントキャリアについてのチャネル状態情報と少なくとも第２のコンポーネントキャリアのためのチャネル状態情報送信とが同じペイロードサイズを有するとき、方法１８００は、チャネル状態情報に関連するコンポーネントキャリアを識別するために使用される指示とともにチャネル状態情報を送信し得る。
【０２０４】
[0212]  いくつかの例では、チャネル状態情報に関連するコンポーネントキャリアを識別するために使用される指示が、チャネル状態情報に関連するコンポーネントキャリアを明示的に識別し得る。
【０２０５】
[0213]  いくつかの例では、チャネル状態情報に関連するコンポーネントキャリアを識別するために使用される指示が、チャネル状態情報に関連するコンポーネントキャリアを暗黙的に識別し得る。例えば、チャネル状態情報に関連するコンポーネントキャリアを識別するために使用される指示は、チャネル状態情報に関連するコンポーネントキャリアに関連するスクランブリングパターン（例えば、スクランブリングコード）を含み得る。１つの特定の例では、スクランブリングパターンが、チャネル状態情報が１次セルに関連付けられるとき、第１のスクランブリングパターンを含み得、スクランブリングパターンは、チャネル状態情報が２次セルに関連付けられるとき、第２のスクランブリングパターンを含み得る。
【０２０６】
[0214]  別の例では、チャネル状態情報に関連するコンポーネントキャリアを識別するために使用される指示が、多重化されたＰＵＣＣＨおよびＰＵＳＣＨ並びに／またはＰＵＣＣＨリソースロケーションのためのレートマッチングを含み得る。例えば、第１のレートマッチングは、チャネル状態情報が１次セルに関連付けられるときに使用され得、第２のレートマッチングは、チャネル状態情報が２次セルに関連付けられるときに使用され得る。
【０２０７】
[0215]  チャネル状態情報が関係するコンポーネントキャリアに関する曖昧さを除去する指示とともにチャネル状態情報が周期的に送信され得るので、方法１８００は１つの点で有用であり得る。
【０２０８】
[0216]  従って、方法１８００はワイヤレス通信を提供し得る。方法１８００は一実施形態にすぎず、方法１８００の動作は、他の実施形態が可能であるように再構成され、または別の方法で修正され得ることに留意されたい。
【０２０９】
[0217]  いくつかの例では、方法１０００、１１００、１２００、１３００、１４００、１５００、１６００、１７００、および／または１８００のうちの１つまたは複数の態様が組み合わされ得る。
【０２１０】
[0218]  添付の図面に関して上記に記載された詳細な説明は、例について説明しており、実施され得るまたは特許請求の範囲内に入る例のみを表すものではない。「例」および「例示的」という語は、この説明で使用されるとき、「一例、実例、または例示としての役割を果たす」ことを意味し、「好ましい」または「他の例より有利である」ことを意味しない。発明を実施するための形態は、説明された技法の理解をもたらすための具体的な詳細を含む。しかしながら、これらの技法は、これらの特定の詳細なしに実践され得る。いくつかの事例では、説明された例の概念を不明瞭にすることを避けるために、よく知られている構造および装置がブロック図の形態で示されている。
【０２１１】
[0219]  情報および信号は、様々な異なる技術および技法のいずれかを使用して表され得る。例えば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２１２】
[0220]  本明細書の開示に関連して説明された様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタロジック、個別ハードウェア構成要素、あるいは本明細書で説明された機能を行うるように設計されたそれらの任意の組合せを用いて実施または行われ得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、例えば、ＤＳＰとマイクロプロセッサの組合せ、複数のマイクロプロセッサ、ＤＳＰコアと連携する１つもしくは複数のマイクロプロセッサ、または任意の他のそのような構成として実施され得る。
【０２１３】
[0221]  本明細書に記載された機能は、ハードウェア、プロセッサによって実行されるソフトウェア、ファームウェア、またはそれらの任意の組合せで実施され得る。プロセッサによって実行されるソフトウェアで実施される場合、機能は、１つまたは複数の命令またはコードオンとして非一時的コンピュータ可読媒体上に記憶され得、または非一時的コンピュータ可読媒体を介して送信され得る。他の例および実施形態が、本開示および添付の特許請求の範囲および趣旨内にある。例えば、ソフトウェアの性質により、上記に記載された機能は、プロセッサ、ハードウェア、ファームウェア、ハードワイヤリング、またはこれらのいずれかの組合せによって実行されるソフトウェアを使用して実施され得る。機能を実施する特徴はまた、機能の部分が異なる物理的ロケーションにおいて実施されるように分散されることを含む、様々な位置に物理的に配置され得る。また、特許請求の範囲内を含め、本明細書で使用されるとき、「のうちの少なくとも１つ」で始まる項目のリスト内で使用される「または」は、例えば、「Ａ、Ｂ、またはＣのうちの少なくとも１つ」のリストが、ＡまたはＢまたはＣまたはＡＢまたはＡＣまたはＢＣまたはＡＢＣ（すなわち、ＡおよびＢおよびＣ）を意味するような選言的リストを示す。
【０２１４】
[0222]  コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の利用可能な媒体であり得る。限定でなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令もしくはデータ構造の形態で所望のプログラムコード手段を搬送または記憶するために使用され得、汎用もしくは専用コンピュータまたは汎用もしくは専用プロセッサによってアクセスされ得る、任意の他の媒体を備えることができる。また、任意の接続は、コンピュータ可読媒体と適切に呼ばれる。例えば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、伝送媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０２１５】
[0223]  本開示の前の説明は、当業者が本開示を作製または使用することを可能にするために提供される。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または要求しない。従って、本開示は、本明細書において説明される例および設計に限定されるべきでなく、本明細書において開示される原理および新規の特徴に合致する最も広い範囲を与えられるべきである。
【図１】
2020191662.tif 000009
【図２】
2020191662.tif 000010
【図３】
2020191662.tif 000011
【図４Ａ】
2020191662.tif 000012
【図４Ｂ】
2020191662.tif 000013
【図５】
2020191662.tif 000014
【図６】
2020191662.tif 000015
【図７】
2020191662.tif 000016
【図８】
2020191662.tif 000017
【図９】
2020191662.tif 000018
【図１０】
2020191662.tif 000019
【図１１】
2020191662.tif 000020
【図１２】
2020191662.tif 000021
【図１３】
2020191662.tif 000022
【図１４】
2020191662.tif 000023
【図１５】
2020191662.tif 000024
【図１６】
2020191662.tif 000025
【図１７】
2020191662.tif 000026
【図１８】
2020191662.tif 000027
【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）におけるワイヤレス通信の方法であって、
基地局からの制御情報を受信することと、
前記制御情報の指示および第１のチャネル状態情報（ＣＳＩ）の値に少なくとも部分的に基づいて、前記第１のＣＳＩを報告することに関連する少なくとも１つの条件が満たされると決定することであって、前記少なくとも１つの条件は、前記制御情報が前記指示を含むと決定することおよび前記第１のＣＳＩの前記値が第２のＣＳＩの値と同じであると決定することを備える、決定することと、
前記少なくとも１つの条件が満たされると決定することに少なくとも部分的に基づいて、前記第１のＣＳＩを報告することに関連するＣＳＩサブフレームを選択することと、
を備える、方法。
【請求項２】
前記選択することに少なくとも部分的に基づいて、前記ＣＳＩを前記基地局に報告することをさらに備える、請求項１に記載の方法。
【請求項３】
前記制御情報の前記指示が、第１のモードに従って前記ＣＳＩを送信すること、または前記第１のモードに従って前記ＣＳＩを送信しないこと、のうちの少なくとも１つに関連する、ここにおいて、前記選択することが、前記指示に少なくとも部分的に基づく、請求項１に記載の方法。
【請求項４】
前記指示が、前記第１のモードに従って前記ＣＳＩを前記送信することに関連する第１のビット、または前記第１のモードに従って前記ＣＳＩを送信しないことに関連する第２のビットのうちの少なくとも１つを備える少なくとも１つの情報ビットを備える、請求項３に記載の方法。
【請求項５】
前記第１のモードに従って前記ＣＳＩを送信することが、前記ＣＳＩを非周期的に送信することを備え、前記第１のモードに従って前記ＣＳＩを送信しないことが、前記ＣＳＩを非周期的に送信しないことを備える、請求項４に記載の方法。
【請求項６】
前記少なくとも１つの情報ビットが、ＣＳＩビットとは異なる、請求項４に記載の方法。
【請求項７】
前記少なくとも１つの情報ビットが、少なくとも０値状態または１値状態を備える、請求項６に記載の方法。
【請求項８】
前記第１のモードに従って前記ＣＳＩを前記送信するために、前記少なくとも１つの情報ビットが前記１値状態を備える、請求項７に記載の方法。
【請求項９】
前記ＣＳＩサブフレームが、ダウンリンクサブフレームを備える、請求項８に記載の方法。
【請求項１０】
前記ＣＳＩを送信しないために、前記ＣＳＩサブフレームが、ＤＬサブフレームまたは特殊サブフレームのうちの１つに関連する、請求項３に記載の方法。
【請求項１１】
前記基地局は、免許無線周波数スペクトル帯域と免許不要無線周波数スペクトル帯域との両方を利用することに少なくとも部分的に基づいてキャリアアグリゲーションモードで送信するように構成される、請求項１に記載の方法。
【請求項１２】
前記制御情報の前記指示が、１値状態または０値状態のうちの１つ、および非周期ＣＳＩ報告に関連する、請求項１に記載の方法。
【請求項１３】
前記第１のＣＳＩの前記値はペイロードサイズを備え、前記制御情報の前記指示は第１のコンポーネントキャリアを識別するものである、請求項１に記載の方法。
【請求項１４】
ワイヤレス通信のための装置であって、
プロセッサと、
前記プロセッサと電子通信しているメモリと、
前記メモリに記憶された命令とを備え、前記命令は、前記プロセッサによって、
基地局からの制御情報を受信することと、
前記制御情報の指示および第１のチャネル状態情報（ＣＳＩ）の値に少なくとも部分的に基づいて、前記第１のＣＳＩを報告することに関連する少なくとも１つの条件が満たされると決定することであって、前記少なくとも１つの条件は、前記制御情報が前記指示を含むと決定することおよび前記第１のＣＳＩの前記値が第２のＣＳＩの値と同じであると決定することを備える、決定することと、
前記少なくとも１つの条件が満たされると決定することに少なくとも部分的に基づいて、前記第１のＣＳＩを報告することに関連するＣＳＩサブフレームを選択することと、
を行うように実行可能である、装置。
【請求項１５】
前記プロセッサによって実行可能である前記命令は、前記選択することに少なくとも部分的に基づいて、前記ＣＳＩを前記基地局に報告するように前記プロセッサによって実行可能な命令をさらに備える、請求項１４に記載の装置。
【請求項１６】
前記制御情報の前記指示が、第１のモードに従って前記ＣＳＩを送信すること、または前記第１のモードに従って前記ＣＳＩを送信しないこと、のうちの少なくとも１つに関連する、ここにおいて、前記選択することが、前記指示に少なくとも部分的に基づく、請求項１４に記載の装置。
【請求項１７】
前記指示が、前記第１のモードに従って前記ＣＳＩを前記送信することに関連する第１のビット、または前記第１のモードに従って前記ＣＳＩを送信しないことに関連する第２のビットのうちの少なくとも１つを備える少なくとも１つの情報ビットを備える、請求項１６に記載の装置。
【請求項１８】
前記第１のモードに従って前記ＣＳＩを送信することが、前記ＣＳＩを非周期的に送信することを備え、前記第１のモードに従って前記ＣＳＩを送信しないことが、前記ＣＳＩを非周期的に送信しないことを備える、請求項１７に記載の装置。
【請求項１９】
前記少なくとも１つの情報ビットが、ＣＳＩビットとは異なる、請求項１７に記載の装置。
【請求項２０】
前記少なくとも１つの情報ビットが、少なくとも０値状態または１値状態を備える、請求項１９に記載の装置。
【請求項２１】
前記第１のモードに従って前記ＣＳＩを前記送信するために、前記少なくとも１つの情報ビットが前記１値状態を備える、請求項２０に記載の装置。
【請求項２２】
前記ＣＳＩサブフレームが、ダウンリンクサブフレームを備える、請求項２１に記載の装置。
【請求項２３】
前記ＣＳＩを送信しないために、前記ＣＳＩサブフレームが、ＤＬサブフレームまたは特殊サブフレームのうちの１つに関連する、請求項１７に記載の装置。
【請求項２４】
前記基地局は、免許無線周波数スペクトル帯域と免許不要無線周波数スペクトル帯域との両方を利用することに少なくとも部分的に基づいてキャリアアグリゲーションモードで送信するように構成される、請求項１４に記載の装置。
【請求項２５】
ワイヤレス通信の装置であって、
基地局からの制御情報を受信するための手段と、
前記制御情報の指示および第１のチャネル状態情報（ＣＳＩ）の値に少なくとも部分的に基づいて、前記第１のＣＳＩを報告することに関連する少なくとも１つの条件が満たされると決定するための手段であって、前記少なくとも１つの条件は、前記制御情報が前記指示を含むと決定することおよび前記第１のＣＳＩの前記値が第２のＣＳＩの値と同じであると決定することを備える、決定するための手段と、
前記少なくとも１つの条件が満たされると決定することに少なくとも部分的に基づいて、前記第１のＣＳＩを報告することに関連するＣＳＩサブフレームを選択するための手段と、
を備える、装置。
【請求項２６】
ワイヤレス通信のためのコンピュータ実行可能コードを記憶する非一時的コンピュータ可読媒体であって、前記コードは、プロセッサによって、
基地局からの制御情報を受信することと、
前記制御情報の指示および第１のチャネル状態情報（ＣＳＩ）の値に少なくとも部分的に基づいて、前記第１のＣＳＩを報告することに関連する少なくとも１つの条件が満たされると決定することであって、前記少なくとも１つの条件は、前記制御情報が前記指示を含むと決定することおよび前記第１のＣＳＩの前記値が第２のＣＳＩの値と同じであると決定することを備える、決定することと、
前記少なくとも１つの条件が満たされると決定することに少なくとも部分的に基づいて、前記第１のＣＳＩを報告することに関連するＣＳＩサブフレームを選択することと、
を行うように実行可能である、非一時的コンピュータ可読媒体。
【手続補正２】
【補正対象書類名】明細書
【補正対象項目名】０２１５
【補正方法】変更
【補正の内容】
【０２１５】
[0223]  本開示の前の説明は、当業者が本開示を作製または使用することを可能にするために提供される。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または要求しない。従って、本開示は、本明細書において説明される例および設計に限定されるべきでなく、本明細書において開示される原理および新規の特徴に合致する最も広い範囲を与えられるべきである。
以下に本願の出願当初の特許請求の範囲に記載された発明を付記する。
[Ｃ１]  コンポーネントキャリアを介してサービスを受信することと、ここにおいて、前記コンポーネントキャリアは免許不要無線周波数スペクトル帯域中にある、
前記免許不要無線周波数スペクトル帯域中の前記コンポーネントキャリアのチャネル状態情報を推定するために前記コンポーネントキャリア上で送信される１つまたは複数の信号を測定することと
を備える、ワイヤレス通信のための方法。
[Ｃ２]  前記コンポーネントキャリアのためのフレームについてクリアチャネルアセスメントが失敗したと決定すること
をさらに備える、Ｃ１に記載の方法。
[Ｃ３]  前記コンポーネントキャリアの前記チャネル状態情報を非周期的に送信すること、ここにおいて、前記１つまたは複数の信号は前記コンポーネントキャリアのための前記フレーム中に測定される、
をさらに備える、Ｃ２に記載の方法。
[Ｃ４]  前記コンポーネントキャリアのための前記フレームの１つまたは複数のサブフレームについての前記チャネル状態情報の非周期送信を省略すること
をさらに備える、Ｃ２に記載の方法。
[Ｃ５]  前記免許不要無線周波数スペクトル帯域中の前記コンポーネントキャリアに関連する非周期チャネル状態情報ビットを受信すること、前記非周期チャネル状態情報ビットは前記コンポーネントキャリアの前記チャネル状態情報を非周期的に送信すべきかどうかを示す、
をさらに備える、Ｃ１に記載の方法。
[Ｃ６]  前記コンポーネントキャリアのためのフレームの１つまたは複数のサブフレームについてのチャネル状態情報が前記チャネル状態情報の非周期送信から省略されるべきであるかどうかに関する命令を受信すること
をさらに備える、Ｃ１に記載の方法。
[Ｃ７]  前記コンポーネントキャリアは第１のコンポーネントキャリアを備え、前記方法は、
第２のコンポーネントキャリアを介して前記命令を受信すること
をさらに備える、Ｃ６に記載の方法。
[Ｃ８]  前記コンポーネントキャリアのためのフレームについてクリアチャネルアセスメントが失敗したかどうかにかかわらず前記チャネル状態情報を周期的に送信すること
をさらに備える、Ｃ１に記載の方法。
[Ｃ９]  前記コンポーネントキャリアのためのフレームについてクリアチャネルアセスメントが失敗したかどうかを決定することと、
前記チャネル状態情報を周期的に送信することとをさらに備え、
ここにおいて、１つまたは複数の信号を前記測定することは、前記フレームについて前記クリアチャネルアセスメントが成功したと決定されたとき、１つまたは複数の現在の信号を測定することと、前記フレームについて前記クリアチャネルアセスメントが失敗したと決定されたとき、１つまたは複数の履歴信号を測定することとを備える、
Ｃ１に記載の方法。
[Ｃ１０]  前記チャネル状態情報を周期的に送信すること、前記チャネル状態情報は、前記チャネル状態情報に関連する前記コンポーネントキャリアを識別するために使用される指示を備える、
をさらに備える、Ｃ１に記載の方法。
[Ｃ１１]  前記指示は、前記チャネル状態情報に関連する前記コンポーネントキャリアを明示的に識別する、Ｃ１０に記載の方法。
[Ｃ１２]  前記指示は、前記チャネル状態情報に関連する前記コンポーネントキャリアに関連するスクランブリングパターンを含む、Ｃ１０に記載の方法。
[Ｃ１３]  前記スクランブリングパターンは、前記チャネル状態情報が１次セルに関連付けられるとき、第１のスクランブリングパターンを備え、
前記スクランブリングパターンは、前記チャネル状態情報が２次セルに関連付けられるとき、第２のスクランブリングパターンを備える、Ｃ１２に記載の方法。
[Ｃ１４]  前記指示は、多重化された物理アップリンク制御チャネル（ＰＵＣＣＨ）および物理アップリンク共有チャネル（ＰＵＳＣＨ）のためのレートマッチングを備える、Ｃ１０に記載の方法。
[Ｃ１５]  前記指示は、物理アップリンク制御チャネル（ＰＵＣＣＨ）のリソースロケーションを備える、Ｃ１０に記載の方法。
[Ｃ１６]  条件が満たされたかどうかを決定することと、
前記チャネル状態情報を周期的に送信することとをさらに備え、
ここにおいて、前記チャネル状態情報は、前記条件が満たされたとき、前記チャネル状態情報に関連する前記コンポーネントキャリアを識別するために使用される指示を備える、
Ｃ１に記載の方法。
[Ｃ１７]  前記条件は、少なくとも２つの交互チャネル状態情報送信に対して同じペイロードサイズである、Ｃ１６に記載の方法。
[Ｃ１８]  前記コンポーネントキャリアのためのフレームについてクリアチャネルアセスメントが失敗したかどうかを決定することと、
前記チャネル状態情報を周期的に送信することとをさらに備え
ここにおいて、前記チャネル状態情報は、前記クリアチャネルアセスメントが失敗したと決定されたとき、前記チャネル状態情報に関連する前記コンポーネントキャリアを識別するために使用される指示を備える、
Ｃ１に記載の方法。
[Ｃ１９]  前記クリアチャネルアセスメントが失敗したと前記決定することは、チャネル使用ビーコン信号に少なくとも部分的に基づく、Ｃ２に記載の方法。
[Ｃ２０]  前記クリアチャネルアセスメントが失敗したと前記決定することは、チャネル状態情報報告のための基準信号に少なくとも部分的に基づく、Ｃ２に記載の方法。
[Ｃ２１]  前記コンポーネントキャリアのための前記フレームは、ダウンリンクフレームまたはアップリンクフレームである、Ｃ２に記載の方法。
[Ｃ２２]  コンポーネントキャリアを介してサービスを受信するための手段と、ここにおいて、前記コンポーネントキャリアは免許不要無線周波数スペクトル帯域中にある、
前記免許不要無線周波数スペクトル帯域中の前記コンポーネントキャリアのチャネル状態情報を推定するために前記コンポーネントキャリア上で送信される１つまたは複数の信号を測定するための手段と
を備える、ワイヤレス通信のための装置。
[Ｃ２３]  前記コンポーネントキャリアのためのフレームについてクリアチャネルアセスメントが失敗したと決定するための手段
をさらに備える、Ｃ２２に記載の装置。
[Ｃ２４]  前記コンポーネントキャリアの前記チャネル状態情報を非周期的に送信するための手段、ここにおいて、前記１つまたは複数の信号は前記コンポーネントキャリアのための前記フレーム中に測定される、
をさらに備える、Ｃ２３に記載の装置。
[Ｃ２５]  前記コンポーネントキャリアのための前記フレームの１つまたは複数のサブフレームについての前記チャネル状態情報の非周期送信を省略するための手段
をさらに備える、Ｃ２３に記載の装置。
[Ｃ２６]  プロセッサと、
前記プロセッサと電子通信しているメモリと、
前記メモリに記憶された命令とを備え、前記命令は、前記プロセッサによって、
コンポーネントキャリアを介してサービスを受信することと、ここにおいて、前記コンポーネントキャリアは免許不要無線周波数スペクトル帯域中にある、
前記免許不要無線周波数スペクトル帯域中の前記コンポーネントキャリアのチャネル状態情報を推定するために前記コンポーネントキャリア上で送信される１つまたは複数の信号を測定することと
を行うように実行可能である、ワイヤレス通信のための装置。
[Ｃ２７]  前記命令は、前記プロセッサによって、
前記コンポーネントキャリアのためのフレームについてクリアチャネルアセスメントが失敗したと決定すること
を行うように実行可能である、Ｃ２６に記載の装置。
[Ｃ２８]  前記命令は、前記プロセッサによって、
前記コンポーネントキャリアの前記チャネル状態情報を非周期的に送信すること、ここにおいて、前記１つまたは複数の信号は前記コンポーネントキャリアのための前記フレーム中に測定される、
を行うように実行可能である、Ｃ２７に記載の装置。
[Ｃ２９]  前記命令は、前記プロセッサによって、
前記コンポーネントキャリアのための前記フレームの１つまたは複数のサブフレームについての前記チャネル状態情報の非周期送信を省略すること
を行うように実行可能である、Ｃ２７に記載の装置。
[Ｃ３０]  ワイヤレス通信のためのコンピュータ実行可能コードを記憶する非一時的コンピュータ可読媒体であって、前記コードは、プロセッサによって、
コンポーネントキャリアを介してサービスを受信することと、ここにおいて、前記コンポーネントキャリアは免許不要無線周波数スペクトル帯域中にある、
前記免許不要無線周波数スペクトル帯域中の前記コンポーネントキャリアのチャネル状態情報を推定するために前記コンポーネントキャリア上で送信される１つまたは複数の信号を測定することと
を行うように実行可能である、非一時的コンピュータ可読媒体。
【外国語明細書】
2020191662000001.pdf